(57)【要約】【課題】発電機の発電能力を考慮して適切に電力系統の需給制御を行う。【解決手段】第１情報処理装置１０の夫々は、第１発電能力と、第１発電機現在出力を第２情報処理装置２０に送信し、第２情報処理装置２０は、第１発電機現在出力の合計値を算出し、第１発電機現在出力を送信してきた第１情報処理装置１０のうちの一つを選択し、選択した第１情報処理装置１０に第１発電機現在出力の合計値を送信し、選択した第１情報処理装置１０から第１発電能力を受信し、受信した第１発電能力に基づき、選択した第１情報処理装置１０に出力制御を行わせるための情報である第１制御情報を生成、送信し、第１情報処理装置１０は、第１制御情報を受信し、第１発電機現在出力の合計値を受信し、電力系統１における地域要求量を算出し、地域要求量と第１制御情報に基づき第１発電機５に出力制御を行う。【選択図】図１
2013090418.tif 000002
【特許請求の範囲】
【請求項１】
複数の発電機を含んで構成される電力系統の制御方法であって、
前記複数の発電機のうち少なくとも１つ以上の前記発電機に、夫々の出力制御が可能な第１情報処理装置を付設し、
前記第１情報処理装置の夫々と通信可能に接続する第２情報処理装置を設け、
前記第１情報処理装置の夫々は、
自身が付設されている前記発電機である第１発電機の発電能力である第１発電能力を記憶し、記憶した前記第１発電能力を前記第２情報処理装置に送信し、
前記第１発電機の現在の出力である第１発電機現在出力を取得し、取得した前記第１発電機現在出力を前記第２情報処理装置に送信し、
前記第２情報処理装置は、
前記第１情報処理装置から送信されてくる前記第１発電機現在出力を受信し、受信した前記第１発電機現在出力の合計値を算出し、
前記第１発電機現在出力を送信してきた前記第１情報処理装置のうちの一つを選択し、選択した前記第１情報処理装置に、前記算出した前記第１発電機現在出力の合計値を送信し、
前記選択した前記第１情報処理装置から送信されてくる前記第１発電能力を受信し、受信した前記第１発電能力に基づき、前記選択した第１情報処理装置に前記出力制御を行わせるための情報である第１制御情報を生成し、生成した前記第１制御情報を前記選択した前記第１情報処理装置に送信し、
前記第１情報処理装置は、
前記第１制御情報を受信し、
前記第１発電機現在出力の合計値を受信し、受信した前記第１発電機現在出力の合計値に基づき、前記電力系統における需給バランスを示す地域要求量を算出し、
前記算出した前記地域要求量と、前記受信した前記第１制御情報とに基づき、前記第１発電機に対する前記出力制御を行う
ことを特徴とする電力系統の制御方法。
【請求項２】
請求項１に記載の電力系統の制御方法であって、
前記第２情報処理装置を、前記第１情報処理装置が付設されていない他の前記発電機に付設し、
前記第２情報処理装置は、前記他の発電機の出力制御が可能であり、
前記第２情報処理装置は、
前記第２発電機の発電能力である第２発電能力を記憶し、
自身が付設されている前記発電機である第２発電機の現在の出力である第２発電機現在出力を取得し、
前記記憶している前記第２発電能力に基づき、前記第２発電機に前記出力制御を行わせるための情報である第２制御情報を生成し、
前記算出した前記第１発電機現在出力の前記合計値と、前記取得した前記第２発電機現在出力とに基づき前記地域要求量を算出し、
前記算出した前記地域要求量と、前記生成した前記第２制御情報とに基づき、前記第２発電機に対する前記出力制御を行う
ことを特徴とする電力系統の制御方法。
【請求項３】
請求項１又は２に記載の電力系統の制御方法であって、
前記第２情報処理装置は、
前記第１発電機現在出力を送信してきた前記第１情報処理装置のうち、前記選択した第１情報処理装置とは異なる他の前記第１情報処理装置を選択し、
当該選択した第１情報処理装置から送信されてくる前記第１発電能力を受信し、受信した前記第１発電能力に基づき、前記第１制御情報を生成する
ことを特徴とする電力系統の制御方法。
【請求項４】
請求項１乃至３のいずれかに記載の電力系統の制御方法であって、
前記第１情報処理装置は、
前記電力系統の現在の周波数を取得し、取得した前記周波数と前記電力系統における基準周波数とに基づき現在の周波数偏差を求め、
前記周波数偏差に系統周波数特性定数を乗算した値と前記受信した前記第１発電機現在出力の合計値とを乗算することにより前記地域要求量を算出し、
前記算出した前記地域要求量と、前記取得した前記第１発電機現在出力とに基づき、前記第１発電機に対する前記出力制御を行う
ことを特徴とする電力系統の制御方法。
【請求項５】
請求項２乃至４のいずれかに記載の電力系統の制御方法であって、
前記第２情報処理装置は、
前記電力系統の現在の周波数を取得し、取得した前記周波数と前記電力系統における基準周波数とに基づき現在の周波数偏差を求め、
前記周波数偏差に系統周波数特性定数を乗算した値と前記算出した前記第１発電機現在出力の合計値とを乗算することにより前記地域要求量を算出し、
前記算出した前記地域要求量と、前記取得した前記第２発電機現在出力とに基づき、前記第２発電機に対する前記出力制御を行う
ことを特徴とする電力系統の制御方法。
【請求項６】
請求項１乃至５のいずれかに記載の電力系統の制御方法に用いられる前記第１情報処理装置であって、
自身が付設されている前記発電機である第１発電機の発電能力である第１発電能力を記憶し、記憶した前記第１発電能力を前記第２情報処理装置に送信し、
前記第１発電機の現在の出力である第１発電機現在出力を取得し、取得した前記第１発電機現在出力を前記第２情報処理装置に送信し、
前記第１制御情報を受信し、
前記第１発電機現在出力の合計値を受信し、受信した前記第１発電機現在出力の合計値に基づき、前記電力系統における需給バランスを示す地域要求量を算出し、
前記算出した前記地域要求量と、前記受信した前記第１制御情報とに基づき、前記第１発電機に対する前記出力制御を行う、
ことを特徴とする情報処理装置。
【請求項７】
請求項１乃至５のいずれかに記載の電力系統の制御方法に用いられる前記第２情報処理装置であって、
前記第１情報処理装置から送信されてくる前記第１発電機現在出力を受信し、受信した前記第１発電機現在出力の合計値を算出し、
前記第１発電機現在出力を送信してきた前記第１情報処理装置のうちの一つを選択し、選択した前記第１情報処理装置に、前記算出した前記第１発電機現在出力の合計値を送信し、
前記選択した前記第１情報処理装置から送信されてくる前記第１発電能力を受信し、受信した前記第１発電能力に基づき、前記選択した第１情報処理装置に前記出力制御を行わせるための情報である第１制御情報を生成し、生成した前記第１制御情報を前記選択した前記第１情報処理装置に送信する、
ことを特徴とする情報処理装置。
【発明の詳細な説明】
【技術分野】
【０００１】
この発明は、電力系統の制御方法、及び情報処理装置に関し、特に発電機の発電能力を考慮して適切に電力系統の需給制御を行うための技術に関する。
【背景技術】
【０００２】
昨今、家庭用太陽光発電機等の自然エネルギーを利用した発電方法が注目されているが、自然エネルギーを利用した発電方法は、気象条件等により出力が変動しやすく、こうした発電方法に起因する電力系統への影響（電圧変動、周波数変動）が懸念されている。
【０００３】
電力系統への影響を防ぐ技術として、特許文献１には、電力系統の区分開閉器で分離された区間内で、区分開閉器に配置した開閉器エージェントをInitiatorとし、区間内の発電機や負荷および下流側開閉器に配置したエージェントをResponderとし、これらエージェント間で契約ネットプロトコルを用いて電力需給の契約をすることで、区間内の分散型電源と負荷および下流区間の需給制御を行う分散型電源の制御システムが記載されている。
【０００４】
特許文献２には、電気事業者から電力の供給を受ける電力需要設備を有する複数の需要家について、分散電源を有する少なくとも１つの需要家を含む需要家グループと、需要家グループの電力需要設備の電力需要データとを記憶したグループ別データベースと、電力需要データとに基づいて、需要家グループの分散電源に対する発電出力指令値を算出し、発電出力指令値に基づいて分散電源の発電出力を制御することが記載されている。
【先行技術文献】
【特許文献】
【０００５】
【特許文献１】特開２００８−３０１６４１号公報
【特許文献２】特開２００５−１９８４２３号公報
【発明の概要】
【発明が解決しようとする課題】
【０００６】
昨今、分散型電源が普及し、今後は商用電力系統等の電力系統に分散型電源が大量に接続されることが予想され、需給制御をより適切に行う仕組みが求められるようになってきている。
【０００７】
本発明はこのような背景に鑑みてなされたもので、発電機の発電能力を考慮して適切に電力系統の需給制御を行うことが可能な電力系統の制御方法、及び情報処理装置を提供することを目的とする。
【課題を解決するための手段】
【０００８】
上記目的を達成するための本発明の一つは、複数の発電機を含んで構成される電力系統の制御方法であって、前記複数の発電機のうち少なくとも１つ以上の前記発電機に、夫々の出力制御が可能な第１情報処理装置を付設し、前記第１情報処理装置の夫々と通信可能に接続する第２情報処理装置を設け、前記第１情報処理装置の夫々は、自身が付設されている前記発電機である第１発電機の発電能力である第１発電能力を記憶し、記憶した前記第１発電能力を前記第２情報処理装置に送信し、前記第１発電機の現在の出力である第１発電機現在出力を取得し、取得した前記第１発電機現在出力を前記第２情報処理装置に送信し、前記第２情報処理装置は、前記第１情報処理装置から送信されてくる前記第１発電機現在出力を受信し、受信した前記第１発電機現在出力の合計値を算出し、前記第１発電機現在出力を送信してきた前記第１情報処理装置のうちの一つを選択し、選択した前記第１情報処理装置に、前記算出した前記第１発電機現在出力の合計値を送信し、前記選択した前記第１情報処理装置から送信されてくる前記第１発電能力を受信し、受信した前記第１発電能力に基づき、前記選択した第１情報処理装置に前記出力制御を行わせるための情報である第１制御情報を生成し、生成した前記第１制御情報を前記選択した前記第１情報処理装置に送信し、前記第１情報処理装置は、前記第１制御情報を受信し、前記第１発電機現在出力の合計値を受信し、受信した前記第１発電機現在出力の合計値に基づき、前記電力系統における需給バランスを示す地域要求量を算出し、前記算出した前記地域要求量と、前記受信した前記第１制御情報とに基づき、前記第１発電機に対する前記出力制御を行うこととする。
【０００９】
本発明によれば、第２情報処理装置は、第１情報処理装置から送信されてくる第１発電機現在出力の合計値を算出し、第１発電機現在出力を送信してきた第１情報処理装置のうちの一つに上記合計値を送信し、その第１情報処理装置に出力制御を行わせるための情報である第１制御情報を、その選択した第１情報処理装置の第１発電能力に基づき生成して送信し、第１情報処理装置は、第２情報処理装置から受信した上記合計値から算出される地域要求量と、第１制御情報とに基づき、自身が付設されている第１発電機に対する出力制御を行う。
【００１０】
このように、本発明によれば、第１情報処理装置のそれぞれは、地域要求量と、自身が付設されている発電機の発電能力とに基づき需給制御を行うので、個々の発電機の発電能力を考慮して適切に電力系統の需給制御を行うことができる。例えば、発電機の最大出力を超えない範囲で発電機の能力を有効に利用して適切に電力系統の需給制御を行うことができる。
【００１１】
尚、前記第１発電機に対する前記出力制御は、例えば、前記電力系統の現在の周波数を取得し、取得した前記周波数と前記電力系統における基準周波数とに基づき現在の周波数偏差を求め、前記周波数偏差に系統周波数特性定数を乗算した値と前記受信した前記第１発電機現在出力の合計値とを乗算することにより前記地域要求量を算出し、前記算出した前記地域要求量と、前記取得した前記第１発電機現在出力とに基づき行う。
【００１２】
本発明の他の一つは、上記電力系統の制御方法であって、前記第２情報処理装置を、前記第１情報処理装置が付設されていない他の前記発電機に付設し、前記第２情報処理装置は、前記他の発電機の出力制御が可能であり、前記第２情報処理装置は、前記第２発電機の発電能力である第２発電能力を記憶し、自身が付設されている前記発電機である第２発電機の現在の出力である第２発電機現在出力を取得し、前記記憶している前記第２発電能力に基づき、前記第２発電機に前記出力制御を行わせるための情報である第２制御情報を生成し、前記算出した前記第１発電機現在出力の合計値と、前記取得した前記第２発電機現在出力とに基づき前記地域要求量を算出し、前記算出した前記地域要求量と、前記生成した前記第２制御情報とに基づき、前記第２発電機に対する前記出力制御を行うこととする。
【００１３】
本発明によれば、第２情報処理装置は、第２発電能力に基づき、第２発電機に出力制御を行わせるための情報である第２制御情報を生成し、第１発電機現在出力の合計値と第２発電機現在出力とに基づき地域要求量を算出し、算出した地域要求量と、第２制御情報とに基づき、第２発電機に対する出力制御を行うので、第２情報処理装置は、自身が付設されている発電機による出力制御を、その発電機の発電能力に基づき行うことができる。これにより、第２情報処理装置に付設された発電機の発電能力を最大限に活用し、より適切な、電力系統の需給制御を行うことができる。
【００１４】
尚、前記第２発電機に対する前記出力制御は、例えば、前記電力系統の現在の周波数を取得し、取得した前記周波数と前記電力系統における基準周波数とに基づき現在の周波数偏差を求め、前記周波数偏差に系統周波数特性定数を乗算した値と前記算出した前記第１発電機現在出力の合計値とを乗算することにより前記地域要求量を算出し、前記算出した前記地域要求量と、前記取得した前記第２発電機現在出力とに基づき行う。
【００１５】
本発明の他の一つは、上記電力系統の制御方法であって、前記第２情報処理装置は、前記第１発電機現在出力を送信してきた前記第１情報処理装置のうち、前記選択した第１情報処理装置とは異なる他の前記第１情報処理装置を選択し、当該選択した第１情報処理装置から送信されてくる前記第１発電能力を受信し、受信した前記第１発電能力に基づき、前記第１制御情報を生成することとする。
【００１６】
本発明によれば、第２情報処理装置は、第１発電機現在出力を送信してきた第１情報処理装置のうち、当初に選択した第１情報処理装置とは異なる他の第１情報処理装置を選択し、その選択した第１情報処理装置から送信されてくる第１発電能力を受信し、受信した第１発電能力に基づき、第１制御情報を生成するので、当初に選択した第１情報処理装置とは異なる他の第１情報処理装置の第１発電能力に基づき、当初に選択した第１情報処理装置に対する出力制御を行うことができる。このように、本発明によれば、第２情報処理装置は、出力制御を行わせる第１情報処理装置以外の第１情報処理装置の発電能力に基づき、第１制御情報を生成するので、出力制御を行わせない第１情報処理装置の第１発電機の発電能力を考慮した、より適切な電力系統の需給制御を行うことができる。
【００１７】
その他、本願が開示する課題、及びその解決方法は、発明を実施するための形態の欄、及び図面により明らかにされる。
【発明の効果】
【００１８】
本発明によれば、発電機の発電能力を考慮して適切に電力系統の需給制御を行うことができる。
【図面の簡単な説明】
【００１９】
【図１】電力系統１の概略的な構成図である。
【図２】第１情報処理装置１０、第２情報処理装置２０、又は第３情報処理装置３０のハードウエア構成を説明する図である。
【図３】第１情報処理装置１０が備える主な機能を説明する図である。
【図４】第１自局情報１６０の一例を説明する図である。
【図５】第１系統情報１７０のレコード構成の一例を説明する図である。
【図６】第２情報処理装置２０が備える主な機能を説明する図である。
【図７】第２自局情報２６０の一例を説明する図である。
【図８】第２系統情報２７０のレコード構成の一例を説明する図である。
【図９】第３情報処理装置３０が備える主な機能を説明する図である。
【図１０】第３自局情報３６０の一例を説明する図である。
【図１１】第３系統情報３７０のレコード構成の一例を説明する図である。
【図１２】第１発電能力送信処理Ｓ１２００を説明するフローチャートである。
【図１３】第１発電機現在出力取得処理Ｓ１３００を説明するフローチャートである。
【図１４】第１発電機現在出力送信処理Ｓ１４００を説明するフローチャートである。
【図１５】第１制御情報受信処理Ｓ１５００を説明するフローチャートである。
【図１６】第１出力制御処理Ｓ１６００の概要を説明する図である。
【図１７】第１指令値生成処理Ｓ１７００を説明するフローチャートである。
【図１８】第１系統情報１７０のレコードの一例を説明する図である。
【図１９】第２発電機現在出力取得処理Ｓ１９００を説明するフローチャートである。
【図２０】第２発電機現在出力送信処理Ｓ２０００を説明するフローチャートである。
【図２１】第１発電機現在出力合計値算出処理Ｓ２１００を説明するフローチャートである。
【図２２】第１発電機現在出力合計値送信処理Ｓ２２００を説明するフローチャートである。
【図２３】第１発電能力受信処理Ｓ２３００を説明するフローチャートである。
【図２４】第１制御情報生成送信処理Ｓ２４００を説明するフローチャートである。
【図２５】第２制御情報生成処理Ｓ２５００を説明するフローチャートである。
【図２６】第２出力制御処理Ｓ２６００の概要を説明する図である。
【図２７】第２指令値生成処理Ｓ２７００を説明するフローチャートである。
【図２８】第２系統情報２７０のレコードの一例を説明する図である。
【図２９】第３発電機現在出力取得処理Ｓ２９００を説明するフローチャートである。
【図３０】第２発電機現在出力受信処理Ｓ３０００を説明するフローチャートである。
【図３１】第２発電機現在出力算出処理Ｓ３１００を説明するフローチャートである。
【図３２】第２発電機現在出力合計値送信処理Ｓ３２００を説明するフローチャートである。
【図３３】第２制御情報生成送信処理Ｓ３３００を説明するフローチャートである。
【図３４】第３制御情報生成処理Ｓ３４００を説明するフローチャートである。
【図３５】第３出力制御処理Ｓ３６００の概要を説明する図である。
【図３６】第３指令値生成処理Ｓ３７００を説明するフローチャートである。
【図３７】第３系統情報３７０のレコードの一例を説明する図である。
【発明を実施するための形態】
【００２０】
図１に本実施形態として説明する電力系統１の概略的な構成を示している。電力系統１は、例えば、商用配電系統やマイクログリッド等であり、複数の第１発電機５、複数の第２発電機６、及び複数の第３発電機７を含んで構成されている。第１発電機５、第２発電機６、及び第３発電機７は、例えば、自然エネルギーを利用した発電機（太陽光発電機、水力発電、風力発電機等）、コージェネレーション発電機（ディーゼル発電機、ガスタービン発電機、ガスエンジン発電機等）などである。
【００２１】
第１発電機５の夫々には、出力制御が可能な第１情報処理装置１０が付設されている。第２発電機６の夫々には、出力制御が可能な第２情報処理装置２０が付設されている。第３発電機７の夫々には、出力制御が可能な第３情報処理装置３０が付設されている。
【００２２】
尚、以下では、第１情報処理装置１０を「ｓｌａｖｅ」と称し、第２情報処理装置２０を「ｓｕｂＭａｓｔｅｒ」と称し、第３情報処理装置３０を「Ｍａｓｔｅｒ」と称する場合がある。また、第１情報処理装置１０、第２情報処理装置２０、及び第３情報処理装置３０を「情報処理装置」と総称する場合がある。
【００２３】
同図に示すように、第１情報処理装置１０であるＧ１−１ａ及びＧ１−１ｂの夫々は、第２情報処理装置２０であるＧ１−１と、有線又は無線の通信方式で通信可能に接続されている。また、第１情報処理装置１０であるＧ１−２ａ及びＧ１−２ｂの夫々は、Ｇ１−２と、有線又は無線の通信方式で通信可能に接続されている。
【００２４】
また、Ｇ１−１及びＧ１−２の夫々は、第３情報処理装置３０であるＧ１と、有線又は無線の通信方式で通信可能に接続されている。
【００２５】
このように、電力系統１では、Ｇ１−１ａ、Ｇ１−１ｂ、Ｇ１−２ａ、及びＧ１−２ｂを下層、Ｇ１−１、及びＧ１−２を上位層、Ｇ１を最上位層とする階層構造（ツリー構造）の通信ネットワークが構築されている。尚、この階層構造（ツリー構造）の通信ネットワークを、以下では、「Ｇｒｏｕｐ１」と称する。
【００２６】
第１情報処理装置１０であるＧ２−１ａは、第２情報処理装置２０であるＧ２−１と通信可能に接続されている。また、第３情報処理装置３０であるＧ２は、Ｇ２−１と、有線又は無線の通信方式で通信可能に接続されている。
【００２７】
このように、電力系統１では、Ｇ２−１ａを下層、Ｇ２−１を上位層、Ｇ２を最上位層とする階層構造の通信ネットワークが構築されている。尚、この階層構造の通信ネットワークを、以下では、「Ｇｒｏｕｐ２」と称する。
【００２８】
図２に、第１情報処理装置１０のハードウエア構成を示している。同図に示すように、第１情報処理装置１０は、ＣＰＵ１１１、ＲＡＭ・ＲＯＭ等のメモリ１１２、ハードディスクやＳＳＤ等の記憶装置１１３、タッチパネルやマウス等の入力装置１１４、液晶ディスプレイ等の表示装置１１５、通信回路１１６、ＲＴＣ（Real Time Clock）等を用いて構成され現在日時等の日時情報（タイムスタンプ）を生成する計時回路１１７、自身が付設されている発電機の現在の出力を計測する出力計測回路１１８、自身が付設されている発電機が接続している電力系統１の送配電線に接続し、電力系統１の系統周波数を計測する周波数計測回路１１９、及び自身が付設されている発電機の出力を制御する制御回路１２０を備える。
【００２９】
尚、第２情報処理装置２０、及び第３情報処理装置３０のハードウエア構成は、第１情報処理装置１０のハードウエア構成と同様である。
【００３０】
図３に第１情報処理装置１０が備える主な機能を示している。同図に示すように、第１情報処理装置１０は、第１発電能力記憶部１３１、第１発電能力送信部１３２、第１発電機現在出力取得部１３３、第１発電機現在出力送信部１３４、第１制御情報受信部１３５、第１発電機現在出力合計値受信部１３６、地域要求量算出部１３７、及び出力制御部１３８の各機能を備える。これらの機能は、第１情報処理装置１０のハードウエアによって、もしくは、第１情報処理装置１０のＣＰＵ１１１が、メモリ１１２又は記憶装置１１３に格納されているプログラムを読み出して実行することにより実現される。
【００３１】
図３に示した機能のうち、第１発電能力記憶部１３１は、自身が付設されている第１発電機５の発電能力（例えば、最大出力や定格出力）である第１発電能力を記憶する。
【００３２】
第１発電能力送信部１３２は、第１発電能力を第２情報処理装置２０に送信する。
【００３３】
第１発電機現在出力取得部１３３は、第１発電機の現在の出力である第１発電機現在出力を取得する。
【００３４】
第１発電機現在出力送信部１３４は、第１発電機現在出力を第２情報処理装置２０に送信する。
【００３５】
第１制御情報受信部１３５は、第１発電機５の出力制御を行うための情報である第１制御情報を受信する。第１制御情報は、後述するように、第１制御情報（最小）及び第１制御情報（最大）を含む。
【００３６】
第１発電機現在出力合計値受信部１３６は、第１発電機現在出力の合計値（以下、第１発電機現在出力合計値と称する。）を受信する。
【００３７】
地域要求量算出部１３７は、第１発電機現在出力の合計値に基づき、電力系統１における需給バランスを示す地域要求量を算出する。
【００３８】
出力制御部１３８は、地域要求量と第１制御情報とに基づき、第１発電機５に対する出力制御を行う。
【００３９】
図３に示すように、第１情報処理装置１０は、第１自局情報１６０、及び第１系統情報１７０を管理している。
【００４０】
図４に第１自局情報１６０の一例を示している。同図に示すように、第１自局情報１６０は、自局識別子１６１、階層１６２、及び第１発電能力１６３を含む。
【００４１】
このうち自局識別子１６１には、第１情報処理装置１０のそれぞれに割り当てられた識別子が格納される。階層１６２には、自身が第１情報処理装置１０である旨を表す情報が格納される。第１発電能力１６３には、第１発電能力が格納される。
【００４２】
図５に第１系統情報１７０のレコード構成の一例を示している。同図に示すように、第１系統情報１７０は、時刻１７１、第１発電機現在出力１７２、系統周波数１７３、発電機現在出力合計値１７４、地域要求量１７５、第１指令値１７６、第１制御情報（最小）１７７、及び第１制御情報（最小）１７８の各項目を含む、少なくとも１つ以上のレコードから構成されている。
【００４３】
このうち時刻１７１には、時刻が格納される。第１発電機現在出力１７２には、第１発電機５の現在の出力が格納される。系統周波数１７３には、電力系統１の系統周波数が格納される。
【００４４】
全発電機現在出力合計値１７４には、第１発電機現在出力の合計値、及び後述する第２発電機現在出力の合計値である、電力系統１における発電機の現在出力の合計値（以下、全発電機現在出力合計値と称する。）が格納される。
【００４５】
地域要求量１７５には、地域要求量が格納される。第１指令値１７６には、第１発電機５の出力を制御するための情報である第１指令値に関する情報が格納される。第１制御情報（最小）１７７には、第１制御情報（最小）が格納される。第１制御情報（最大）１７８には、第１制御情報（最大）が格納される。尚、第１制御情報（最小）、及び第１制御情報（最大）の詳細は後述する。
【００４６】
図６に第２情報処理装置２０が備える主な機能を示している。同図に示すように、情報処理装置２０は、第１発電機現在出力受信部２３１、第１発電機現在出力合計値算出部２３２、第１発電機現在出力合計値送信部２３３、第１発電能力受信部２３４、第１制御情報生成部２３５、第１制御情報送信部２３６、第２発電能力記憶部２３７、第２発電機現在出力取得部２３８、第２発電機現在出力送信部２３９、第２制御情報生成部２４０、地域要求量算出部２４１、及び出力制御部２４２の各機能を備える。これらの機能は、第２情報処理装置２０のハードウエアによって、もしくは、第２情報処理装置２０のＣＰＵ１１１が、メモリ１１２又は記憶装置１１３に格納されているプログラムを読み出して実行することにより実現される。
【００４７】
図６に示した機能のうち、第１発電機現在出力受信部２３１は、第１情報処理装置１０から送信されてくる第１発電機現在出力を受信する。
【００４８】
第１発電機現在出力合計値算出部２３２は、第１発電機現在出力の合計値を算出する。
【００４９】
第１発電機現在出力合計値送信部２３３は、第１発電機現在出力を送信してきた第１情報処理装置１０のうちの一つを選択し、選択した第１情報処理装置１０に、第１発電機現在出力の合計値を送信する。
【００５０】
第１発電能力受信部２３４は、第１情報処理装置１０から送信されてくる第１発電能力を受信する。
【００５１】
第１制御情報生成部２３５は、受信した第１発電能力に基づき第１制御情報を生成する。また、第１制御情報生成部２３５は、第１発電機現在出力を送信してきた第１情報処理装置１０のうち、第１発電機現在出力合計値送信部２３３で選択した第１情報処理装置１０とは異なる他の第１情報処理装置１０を選択し、その選択した第１情報処理装置１０から送信されてくる第１発電能力を受信し、受信した第１発電能力に基づき、第１制御情報を生成する。
【００５２】
第１制御情報送信部２３６は、生成した第１制御情報を、第１発電機現在出力合計値送信部２３３で選択した第１情報処理装置１０に送信する。
【００５３】
第２発電能力記憶部２３７は、自身が付設されている第２発電機６の発電能力（例えば、最大出力や定格出力）である第２発電能力を記憶する。
【００５４】
第２発電機現在出力取得部２３８は、自身が付設されている第２発電機６の現在の出力である第２発電機現在出力を取得する。
【００５５】
第２発電機現在出力送信部２３９は、第２発電機現在出力を第３情報処理装置３０に送信する。
【００５６】
第２制御情報生成部２４０は、第２発電能力に基づき、第２発電機６に出力制御を行わせるための情報である第２制御情報を生成する。尚、第２制御情報は、後述するように、第２制御情報（最小）及び第２制御情報（最大）を含む。
【００５７】
地域要求量算出部２４１は、第１発電機現在出力合計値算出部２３２で算出した第１発電機現在出力の合計値と、第２発電機現在出力取得部２３８で取得した第２発電機現在出力とに基づき地域要求量を算出する。
【００５８】
出力制御部２４２は、算出した地域要求量と、第２制御情報生成部２４０で生成した第２制御情報とに基づき、第２発電機６に対する出力制御を行う。
【００５９】
図７に示すように、第２情報処理装置２０は、第２自局情報２６０、及び第２系統情報２７０を管理している。
【００６０】
図７に第２自局情報２６０の一例を示している。同図に示すように、第２自局情報２６０は、自局識別子２６１、階層２６２、及び第２発電能力２６３を含む。
【００６１】
このうち自局識別子２６１には、第２情報処理装置２０のそれぞれに割り当てられた識別子が格納される。階層２６２には、自身が第２情報処理装置２０である旨を表す情報が格納される。第２発電能力２６３には、第２発電能力が格納される。
【００６２】
図８に第２系統情報２７０のレコード構成の一例を示している。同図に示すように、第２系統情報２７０は、時刻２７１、第２発電機現在出力２７２、系統周波数２７３、全発電機現在出力合計値２７４、地域要求量２７５、第２指令値２７６、第２制御情報（最小）２７７、第２制御情報（最大）２７８、第１発電機現在出力合計値２７９、第１発電能力合計値２８０、送信側第２制御情報（最小）２８１、及び送信側第２制御情報（最大）２８２の各項目を含む、少なくとも１つ以上のレコードから構成されている。
【００６３】
このうち時刻２７１には、時刻が格納される。第２発電機現在出力１７２には、第２発電機６の現在の出力が格納される。系統周波数２７３には、電力系統１の系統周波数が格納される。全発電機現在出力合計値２７４には、全発電機現在出力合計値が格納される。
【００６４】
地域要求量２７５には、地域要求量が格納される。第２指令値２７６には、第２発電機６の出力を制御するための情報である第２指令値が格納される。
【００６５】
第２制御情報（最小）２７７には、送信側第２制御情報（最小）２８１のうち、自身が付設されている第２発電機６の制御に関する情報（以下、第２制御情報（最小）と称する。）が格納される。第２制御情報（最大）２７８には、送信側第２制御情報（最大）２８２のうち、自身が付設されている第２発電機６の制御に関する情報（以下、第２制御情報（最大）と称する。）が格納される。
【００６６】
第１発電機現在出力合計値２７９には、第１発電機現在出力の合計値が格納される。第１発電能力合計値２８０には、第１発電機現在出力の合計値が格納される。送信側第２制御情報２８１（最小）には、第２制御情報２７７（最小）を含む情報である送信側第２制御情報（最小）が格納される。第２制御情報２８２（最大）には、第２制御情報２７８（最大）を含む情報である送信側第２制御情報（最大）が格納される。尚、以下では、送信側第２制御情報（最小）、及び送信側第２制御情報（最大）を総称して送信側第２制御情報と称する。
【００６７】
図９に第３情報処理装置３０が備える主な機能を示している。同図に示すように、情報処理装置３０は、第２発電機現在出力受信部３３１、第２発電機現在出力合計値算出部３３２、第２発電機現在出力合計値送信部３３３、第２発電能力受信部３３４、第２制御情報生成部３３５、第２制御情報送信部３３６、第３発電能力記憶部３３７、第３発電機現在出力取得部３３８、第３発電機現在出力送信部３３９、第３制御情報生成部３４０、地域要求量算出部３４１、及び出力制御部３４２の各機能を備える。これらの機能は、第３情報処理装置３０のハードウエアによって、もしくは、第３情報処理装置３０のＣＰＵ１１１が、メモリ１１２又は記憶装置１１３に格納されているプログラムを読み出して実行することにより実現される。
【００６８】
図９に示した機能のうち、第３発電機現在出力受信部３３１は、第２情報処理装置２０から送信されてくる第２発電機現在出力を受信する。
【００６９】
第２発電機現在出力合計値算出部３３２は、第２発電機現在出力の合計値を算出する。
【００７０】
第２発電機現在出力合計値送信部３３３は、第２発電機現在出力を送信してきた第２情報処理装置２０のうちの一つを選択し、選択した第２情報処理装置２０に、第２発電機現在出力の合計値を送信する。
【００７１】
第２発電能力受信部３３４は、第２情報処理装置２０から送信されてくる第２発電能力を受信する。
【００７２】
第２制御情報生成部３３５は、第２発電能力に基づき、第２制御情報を含む情報である送信側第２制御情報を生成する。また、第２制御情報生成部３３５は、第２発電機現在出力を送信してきた第２情報処理装置２０のうち、第２発電機現在出力合計値送信部３３３で選択した第２情報処理装置２０とは異なる他の第２情報処理装置２０を選択し、その選択した第２情報処理装置２０から送信されてくる第２発電能力を受信し、受信した第２発電能力に基づき、第２制御情報を生成する。
【００７３】
第２制御情報送信部３３６は、生成した第２制御情報を、第２発電機現在出力合計値送信部３３３で選択した第２情報処理装置２０に送信する。
【００７４】
第３発電能力記憶部３３７は、自身が付設されている第３発電機７の発電能力（例えば、最大出力や定格出力）の発電能力である第３発電能力を記憶する。
【００７５】
第３発電機現在出力取得部３３８は、自身が付設されている第３発電機７の現在の出力である第３発電機現在出力を取得する。
【００７６】
第３発電機現在出力送信部３３９は、第３発電機現在出力を、他の第３情報処理装置３０に送信する。
【００７７】
第３制御情報生成部３４０は、第３発電能力に基づき、自身が付設されている第３発電機７に出力制御を行わせるための情報である第３制御情報を生成する。尚、第３制御情報は、後述するように、第３制御情報（最小）、及び第３制御情報（最大）を含む情報である。
【００７８】
地域要求量算出部３４１は、第２情報処理装置２０から受信した第２発電機現在出力の合計値と、自身が取得した第３発電機現在出力とに基づき、地域要求量を算出する。
【００７９】
出力制御部３４２は、算出した地域要求量と、生成した第３制御情報とに基づき、第３発電機７に対する出力制御を行う。
【００８０】
図９に示すように、第３情報処理装置３０は、第３自局情報３６０、及び第３系統情報３７０を管理している。
【００８１】
図１０に第３自局情報３６０の一例を示している。同図に示すように、第３自局情報３６０は、自局識別子３６１、階層３６２、及び第３発電能力３６３を含む。
【００８２】
このうち自局識別子３６１には、第３情報処理装置３０のそれぞれに割り当てられた識別子が格納される。階層３６２には、自身が第３情報処理装置３０である旨を表す情報が格納される。第３発電能力３６３には、第３発電能力が格納される。
【００８３】
図１１に第３系統情報３７０のレコード構成の一例を示している。同図に示すように、第３系統情報３７０は、時刻３７１、第３発電機現在出力３７２、系統周波数３７３、発電機現在出力合計値３７４、地域要求量３７５、第３指令値３７６、第３制御情報（最小）３７７、第３制御情報（最大）３７８、第２発電機現在出力合計値３７９、及び第２発電能力合計値３８０の各項目を含む、少なくとも１つ以上のレコードから構成されている。
【００８４】
このうち時刻３７１には、時刻が格納される。第３発電機現在出力３７２には、第３発電機７の現在の出力が格納される。系統周波数３７３には、電力系統１の系統周波数が格納される。全発電機現在出力合計値３７４には、全発電機現在出力合計値が格納される。
【００８５】
地域要求量３７５には、地域要求量が格納される。第３指令値３７６には、第３発電機７の出力を制御するための情報である、第３指令値に関する情報が格納される。
【００８６】
第３制御情報（最小）３７７には、第３制御情報（最小）が格納される。第３制御情報３７８（最大）には、第３制御情報（最大）が格納される。第２発電機現在出力合計値３７９には、第２発電機現在出力の合計値が格納される。第２発電能力合計値３８０には、第２発電機現在出力の合計値が格納される。尚、第３制御情報（最小）及び第３制御情報（最大）の詳細は後述する。
【００８７】
＜処理説明＞
次に、電力系統１において行われる処理について説明する。
【００８８】
＜第１情報処理装置１０の処理＞
図１２は、第１情報処理装置１０が行う処理のうち、自身が付設されている第１発電機５の第１発電能力を第２情報処理装置２０に送信する処理（以下、第１発電能力送信処理Ｓ１２００と称する。）を説明するフローチャートである。同図に示すように、第１情報処理装置１０は、随時、第２情報処理装置２０に、自身が記憶している第１発電能力（以下、「Ｐｃ１」とも称する。）を送信する（Ｓ１２１１）。
【００８９】
図１３は、第１情報処理装置１０が、随時、自身が付設されている第１発電機５の第１発電機現在出力を取得する処理（以下、第１発電機現在出力取得処理Ｓ１３００と称する。）を説明するフローチャートである。同図に示すように、第１情報処理装置１０は、第１発電機現在出力（以下、「Ｐ１」とも称する。）を取得し、第１系統情報１７０に格納する（Ｓ１３１１）。
【００９０】
また、第１情報処理装置１０は、電力系統１の系統周波数（以下、「ｆ」とも称する。）を取得し、取得した電力系統１の系統周波数（ｆ）を第１系統情報１７０に格納する（Ｓ１３１２）。
【００９１】
図１４は、第１情報処理装置１０が、随時、取得した第１発電機現在出力を第２情報処理装置２０に送信する処理（以下、第１発電機現在出力送信処理Ｓ１４００と称する。）を説明するフローチャートである。
【００９２】
同図に示すように、第１情報処理装置１０は、取得した第１発電機現在出力（Ｐ１）を、第２情報処理装置２０に送信する（Ｓ１４１１）。また、第１情報処理装置１０は、第２情報処理装置２０から、全発電機現在出力合計値（以下、「Ｐｓｕｍ」とも称する。）を受信する（Ｓ１４１２）。
【００９３】
図１５は、第２情報処理装置２０から第１制御情報を受信する処理（以下、第１制御情報受信処理Ｓ１５００と称する。）を説明するフローチャートである。
【００９４】
同図に示すように、第１情報処理装置１０は、随時、第２情報処理装置２０から送信されてくる、第１制御情報（第１制御情報（最小）（以下、「Ｐｍｉｎ１」とも称する。）、及び第１制御情報（最大）（以下、「Ｐｍａｘ１」とも称する。））を受信し、受信した第１制御情報を第１系統情報１７０に格納する（Ｓ１５１１）。尚、第１制御情報（最小）、及び第１制御情報（最大）の詳細は後述する。
【００９５】
また、第１情報処理装置１０は、自身が付設されている第１発電機５の出力を制御する処理（以下、第１出力制御処理と称する。）を行う。
【００９６】
図１６は、第１出力制御処理Ｓ１６００の概要を説明する図である。同図に示すように、第１情報処理装置１０は、第１発電機現在出力取得処理Ｓ１３００で取得した電力系統１の系統周波数（ｆ）と、電力系統１における基準周波数ｆ０（例えば、６０Ｈｚ又は５０Ｈｚ）とに基づき現在の周波数偏差を求め、求めた周波数偏差に系統周波数特性定数（Ｋ）を乗算した値と、全発電機現在出力合計値（Ｐｓｕｍ）とを乗算することにより地域要求量（ＡＲ）を算出する（Ｓ１６１１）。
【００９７】
第１情報処理装置１０は、求めた地域要求量（ＡＲ）についてフィルタ処理、即ち、地域要求量（ＡＲ）に含まれる極短周期成分を除去する平滑化処理、及び微動成分を除去する不感帯処理を行う（Ｓ１６１２）。
【００９８】
第１情報処理装置１０は、第１発電機現在出力取得処理Ｓ１３００で取得した第１発電機現在出力（Ｐ１）に基づき、第１指令値（以下、「Ｐｄ１」とも称する。）を生成する（Ｓ１６１３）。第１情報処理装置１０は、Ｓ１６１３で生成した第１指令値（Ｐｄ１）に基づき、自身が付設されている第１発電機５の出力を制御する（Ｓ１６１４）。
【００９９】
図１７は、Ｓ１６１３の処理（以下、第１指令値生成処理Ｓ１７００と称する。）の詳細を説明するフローチャートである。また、図１８は、第１指令値生成処理Ｓ１７００が行われた場合における第１系統情報１７０を説明する図である。以下、図１７及び図１８を用いて第１指令値生成処理Ｓ１７００を説明する。
【０１００】
図１７に示すように、第１情報処理装置１０は、第１発電機現在出力（Ｐ１）が０より大きいか否かを判断する（Ｓ１７１１）。第１発電機現在出力（Ｐ１）が０より大きい場合は（Ｓ１７１１：ＹＥＳ）Ｓ１７１２に進み、０より大きくない場合は（Ｓ１７１１：ＮＯ）Ｓ１７８１に進む。
【０１０１】
Ｓ１７１２では、第１情報処理装置１０は、全発電機現在出力合計値（Ｐｓｕｍ）が第１制御情報（最大）（Ｐｍａｘ１）よりも小さいか否かを判断する。小さい場合は（Ｓ１７１２：ＹＥＳ）Ｓ１７１３に進み、小さくない場合は（Ｓ１７１２：ＮＯ）Ｓ１７５１に進む。
【０１０２】
Ｓ１７１３では、第１情報処理装置１０は、地域要求量（ＡＲ）が０より大きいか否かを判断する。０より大きい場合は（Ｓ１７１３：ＹＥＳ）Ｓ１７１４に進み、０以下である場合は（Ｓ１７１３：ＮＯ）Ｓ１７３１に進む。
【０１０３】
Ｓ１７１４では、第１情報処理装置１０は、第１発電機現在出力（Ｐ１）に地域要求量（ＡＲ）を加えた値が第１発電能力（Ｐｃ１）より小さいか否かを判断する。第１発電機現在出力（Ｐ１）に地域要求量（ＡＲ）を加えた値が第１発電能力（Ｐｃ１）より小さい場合は（Ｓ１７１４：ＹＥＳ）Ｓ１７１５に進み、第１発電能力（Ｐｃ１）より小さくない場合は（Ｓ１７１４：ＮＯ）Ｓ１７２１に進む。
【０１０４】
Ｓ１７１５では、第１情報処理装置１０は、第１指令値（Ｐｄ１）を、発電機現在出力（Ｐ１）に地域要求量（ＡＲ）を加えた値（Ｐ１＋ＡＲ）に設定し、第１指令値生成処理Ｓ１７００は終了する。尚、図１８に示す「Ｃａｓｅ  Ｉ」のレコードは、Ｓ１７１５の処理が行われた場合における、第１系統情報１７０のレコードの一例である。同図に示すように、このレコードでは、Ｐ１に３００ｋＷが、ｆに５９．９Ｈｚが、Ｐｓｕｍに２８００ｋＷが、ＡＲに５０ｋＷが、Ｐｄ１に３５０ｋＷが、Ｐｍｉｎ１に２５００ｋＷが、Ｐｍａｘ１に３０００ｋＷが設定されている。
【０１０５】
図１７に戻り、Ｓ１７２１では、第１情報処理装置１０は、第１指令値（Ｐｄ１）を第１自発電能力（Ｐｃ１）に設定し、第１指令値生成処理Ｓ１７００は終了する。尚、図１８に示す「Ｃａｓｅ  ＩＩ」のレコードは、Ｓ１７２１の処理が行われた場合における、第１系統情報１７０のレコードの一例である。同図に示すように、Ｓ１７２１の処理が行われた場合における第１系統情報１７０のレコードでは、Ｐ１に３００ｋＷが、ｆに５９．９Ｈｚが、Ｐｓｕｍに２８００ｋＷが、ＡＲに２５０ｋＷが、Ｐｄ１に５００ｋＷが、Ｐｍｉｎ１に２５００ｋＷが、Ｐｍａｘ１に３０００ｋＷが設定されている。
【０１０６】
Ｓ１７３１では、第１情報処理装置１０は、全発電機現在出力合計値（Ｐｓｕｍ）に地域要求量（ＡＲ）を加えた値が第１制御情報（最大）（Ｐｍａｘ１）より大きいか否かを判断する。全発電機現在出力合計値（Ｐｓｕｍ）に地域要求量（ＡＲ）を加えた値が第１制御情報（最大）（Ｐｍａｘ１）より大きい場合は（Ｓ１７３１：ＹＥＳ）Ｓ１７３２に進み、第１制御情報（最大）（Ｐｍａｘ１）より大きくない場合は（Ｓ１７３１：ＮＯ）Ｓ１７４１に進む。
【０１０７】
Ｓ１７３２では、第１情報処理装置１０は、第１指令値（Ｐｄ１）を、発電機現在出力（Ｐ１）に地域要求量（ＡＲ）を加えた値（Ｐ１＋ＡＲ）に設定し、第１指令値生成処理Ｓ１７００は終了する。尚、図１８に示す「Ｃａｓｅ  ＩＩＩ」は、Ｓ１７３２の処理が行われた場合における、第１系統情報１７０のレコードの一例である。同図に示すように、Ｓ１７３２の処理が行われた場合における第１系統情報１７０のレコードでは、Ｐ１に３００ｋＷが、ｆに６０．１Ｈｚが、Ｐｓｕｍに２８００ｋＷが、ＡＲに−５０ｋＷが、Ｐｄ１に５００ｋＷが、Ｐｍｉｎ１に２５００ｋＷが、Ｐｍａｘ１に３０００ｋＷが設定されている。
【０１０８】
図１７に戻り、Ｓ１７４１では、第１情報処理装置１０は、第１指令値（Ｐｄ１）を０に設定し、第１指令値生成処理Ｓ１７００は終了する。尚、図１８に示す「Ｃａｓｅ  ＩＶ」は、Ｓ１７４１の処理が行われた場合における、第１系統情報１７０のレコードの一例である。同図に示すように、このレコードでは、Ｐｄ１が３００ｋＷ、ｆが６０．１Ｈｚ、Ｐｓｕｍが２８００ｋＷ、ＡＲが−３５０ｋＷ、Ｐｄ１が０ｋＷ、Ｐｍｉｎ１が２５００ｋＷ、Ｐｍａｘ１が３０００ｋＷである。
【０１０９】
Ｓ１７５１では、第１情報処理装置１０は、全発電機現在出力合計値（Ｐｓｕｍ）に地域要求量（ＡＲ）を加えた値が第１制御情報（最大）（Ｐｍａｘ１）より大きいか否かを判断する。全発電機現在出力合計値（Ｐｓｕｍ）に地域要求量（ＡＲ）を加えた値が第１制御情報（最大）（Ｐｍａｘ１）より大きい場合は（Ｓ１７５１：ＹＥＳ）Ｓ１７５２に進み、第１制御情報（最大）（Ｐｍａｘ１）より大きくない場合は（Ｓ１７５１：ＮＯ）Ｓ１７６１に進む。
【０１１０】
Ｓ１７５２では、第１情報処理装置１０は、第１指令値（Ｐｄ１）を第１自発電能力（Ｐｃ１）に設定し、第１指令値生成処理Ｓ１７００は終了する。尚、図１８に示す「Ｃａｓｅ  Ｖ」は、Ｓ１７５２の処理が行われた場合における、第１系統情報１７０のレコードの一例である。同図に示すように、このレコードでは、Ｐ１が５００ｋＷ、ｆが６０．１Ｈｚ、Ｐｓｕｍが３２００ｋＷ、ＡＲが−３００ｋＷ、Ｐｄ１が４００ｋＷ、Ｐｍｉｎ１が２５００ｋＷ、Ｐｍａｘ１が３０００ｋＷである。
【０１１１】
図１７に戻り、Ｓ１７６１では、第１情報処理装置１０は、全発電機現在出力合計値（Ｐｓｕｍ）に地域要求量（ＡＲ）を加えた値が第１制御情報（最小）（Ｐｍｉｎ１）より大きいか否かを判断する。全発電機現在出力合計値（Ｐｓｕｍ）に地域要求量（ＡＲ）を加えた値が第１制御情報（最小）（Ｐｍｉｎ１）より大きい場合は（Ｓ１７６１：ＹＥＳ）Ｓ１７６２に進み、第１制御情報（最小）（Ｐｍｉｎ１）より大きくない場合は（Ｓ１７６１：ＮＯ）Ｓ１７７１に進む。
【０１１２】
Ｓ１７６２では、第１情報処理装置１０は、第１指令値（Ｐｄ１）を、全発電機現在出力合計値（Ｐｓｕｍ）から第１制御情報（最小）（Ｐｍｉｎ１）を減じた値（Ｐｓｕｍ−Ｐｍｉｎ１）に設定し、第１指令値生成処理Ｓ１７００は終了する。尚、図１８に示す「Ｃａｓｅ  ＶＩ」は、Ｓ１７６２の処理が行われた場合における、第１系統情報１７０のレコードの一例を示している。同図に示すように、このレコードでは、Ｐｄ１が５００ｋＷ、ｆが５９．９Ｈｚ、Ｐｓｕｍが３２００ｋＷ、ＡＲが−３００ｋＷ、Ｐｄ１が４００ｋＷ、Ｐｍｉｎ１が２５００ｋＷ、Ｐｍａｘ１が３０００ｋＷである。
【０１１３】
図１７に戻り、Ｓ１７７１では、第１情報処理装置１０は、第１指令値（Ｐｄ１）を０に設定し、第１指令値生成処理Ｓ１７００は終了する。尚、図１８に示す「Ｃａｓｅ  ＶＩＩ」は、Ｓ１７７１の処理が行われた場合における、第１系統情報１７０のレコードの一例である。同図に示すように、このレコードでは、Ｐ１が５００ｋＷ、ｆが６０．１Ｈｚ、Ｐｓｕｍが３２００ｋＷ、ＡＲが−８００ｋＷ、Ｐｄ１が０ｋＷ、Ｐｍｉｎ１が２５００ｋＷ、Ｐｍａｘ１が３０００ｋＷである。
【０１１４】
図１７に戻り、Ｓ１７８１では、第１情報処理装置１０は、全発電機現在出力合計値（Ｐｓｕｍ）に地域要求量（ＡＲ）を加えた値が第１制御情報（最小）（Ｐｍｉｎ１）より大きいか否かを判断する。全発電機現在出力合計値（Ｐｓｕｍ）に地域要求量（ＡＲ）を加えた値が第１制御情報（最小）（Ｐｍｉｎ１）より大きい場合は（Ｓ１７８１：ＹＥＳ）Ｓ１７８２に進み、第１制御情報（最小）（Ｐｍｉｎ１）より大きくない場合は（Ｓ１７８１：ＮＯ）Ｓ１７９２に進む。
【０１１５】
Ｓ１７８２では、第１情報処理装置１０は第１発電機現在出力（Ｐ１）に地域要求量（ＡＲ）を加えた値が第１発電能力（Ｐｃ１）より小さいか否かを判断する。第１発電機現在出力（Ｐ１）に地域要求量（ＡＲ）を加えた値が第１発電能力（Ｐｃ１）より小さい場合は（Ｓ１７８２：ＹＥＳ）Ｓ１７８３に進み、第１制御情報（最小）（Ｐｍｉｎ１）より大きくない場合は（Ｓ１７８２：ＮＯ）Ｓ１７９１に進む。
【０１１６】
Ｓ１７８３では、第１情報処理装置１０は、第１指令値（Ｐｄ１）を、全発電機現在出力合計値（Ｐｓｕｍ）から第１制御情報（最小）（Ｐｍｉｎ１）を除した値に設定し、第１指令値生成処理Ｓ１７００は終了する。尚、図１８に示す「Ｃａｓｅ  ＶＩＩＩ」は、Ｓ１７８３の処理が行われた場合における、第１系統情報１７０のレコードの一例である。同図に示すように、このレコードでは、Ｐ１が０ｋＷ、ｆが５９．９Ｈｚ、Ｐｓｕｍが２３００ｋＷ、ＡＲが３００ｋＷ、Ｐｄ１が１００ｋＷ、Ｐｍｉｎ１が２５００ｋＷ、Ｐｍａｘ１が３０００ｋＷである。
【０１１７】
図１７に戻り、Ｓ１７９１では、第１情報処理装置１０は、第１指令値（Ｐｄ１）を第１発電能力（Ｐｃ１）に設定し、第１指令値生成処理Ｓ１７００は終了する。尚、図１９の「Ｃａｓｅ  ＩＸ」は、Ｓ１７９１の処理が行われた場合における、第１系統情報１７０のレコードの一例である。同図に示すように、このレコードは、Ｐ１が０ｋＷ、ｆが５９．９Ｈｚ、Ｐｓｕｍが２３００ｋＷ、ＡＲが８００ｋＷ、Ｐｄ１が５００ｋＷ、Ｐｍｉｎ１が２５００ｋＷ、Ｐｍａｘ１が３０００ｋＷである。
【０１１８】
図１７に戻り、Ｓ１７９２では、第１情報処理装置１０は、第１指令値（Ｐｄ１）を０に設定し、第１指令値生成処理Ｓ１７００は終了する。尚、図１９の「Ｃａｓｅ  Ｘ」は、Ｓ１７９２の処理が行われた場合における、第１系統情報１７０のレコードの一例である。同図に示すように、このレコードでは、Ｐ１が０ｋＷ、ｆが５９．９Ｈｚ、Ｐｓｕｍが２３００ｋＷ、ＡＲが５０ｋＷ、Ｐｄ１が０ｋＷ、Ｐｍｉｎ１が２５００ｋＷ、Ｐｍａｘ１が３０００ｋＷである。
【０１１９】
＜第２情報処理装置２０の処理＞
図１９は、第２情報処理装置２０が行う処理のうち、自身が付設されている第２発電機６の現在の出力を取得する処理（以下、第２発電機現在出力取得処理Ｓ１９００）を説明するフローチャートである。同図に示すように、第２情報処理装置２０は、随時、第２発電機現在出力（以下、「Ｐ２」とも称する。）を取得し、取得した第２発電機現在出力を第２系統情報２７０に格納する（Ｓ１９１１）。
【０１２０】
また、第２情報処理装置２０は、随時、電力系統１の系統周波数（ｆ）を取得し、取得した電力系統１の系統周波数（ｆ）を第２系統情報２７０に格納する（Ｓ１９１２）。
【０１２１】
を行う。
【０１２２】
図２１は、第２情報処理装置２０が、第１情報処理装置１０から送信されてくる第１発電機現在出力を受信する処理（以下、第１発電機現在出力受信処理Ｓ２１００と称する。）を説明するフローチャートである。同図に示すように、第２情報処理装置２０は、随時、第１情報処理装置１０から送信されてくる第１発電機現在出力（Ｐ１）を受信する。
【０１２３】
第２情報処理装置２０は、受信した第１発電機現在出力（Ｐ１）に基づき、第１発電機現在出力合計値（以下、「Ｐｓｕｍ１」とも称する。）を算出する処理（以下、第１発電機現在出力合計値算出処理と称する。）を行う。
【０１２４】
図２１は、第１発電機現在出力合計値算出処理Ｓ２１００を説明するフローチャートである。同図に示すように、第２情報処理装置２０は、随時、第１発電機現在出力受信処理Ｓ２０００で受信した第１発電機現在出力（Ｐ１）の合計値を算出し、第１発電機現在出力合計値（Ｐｓｕｍ１）を算出する（Ｓ２１１１）。具体的には、第１発電機現在出力受信処理Ｓ２１００で受信した第１発電機現在出力（Ｐ１）の合計値を算出し、算出した合計値に、第２発電機現在出力取得処理Ｓ１９００で取得した第２発電機現在出力（Ｐ２）を加えることにより、第１発電機現在出力合計値（Ｐｓｕｍ１）を算出する。尚、算出した第１発電機現在出力合計値（Ｐｓｕｍ１）は、第２系統情報２７０に格納される。
【０１２５】
第２情報処理装置２０は、算出した第１発電機現在出力合計値（Ｐｓｕｍ１）を、第３情報処理装置３０に送信する（Ｓ２１１２）。また、第２情報処理装置２０は、第３情報処理装置３０から、全発電機現在出力合計値（Ｐｓｕｍ）（第１発電機現在出力の合計値）を受信し（Ｓ２１１３）、受信した全発電機現在出力合計値（Ｐｓｕｍ）を第２系統情報２７０に格納する。
【０１２６】
図２２は、第１発電機現在出力（Ｐ１）を送信してきた第１情報処理装置１０のうちの一つに全発電機現在出力合計値（Ｐｓｕｍ）を送信する処理（以下、第１発電機現在出力合計値送信処理Ｓ２２００と称する。）を説明するフローチャートである。
【０１２７】
同図に示すように、第２情報処理装置２０は、第１発電機現在出力受信処理Ｓ２０００で第１発電機現在出力（Ｐ１）を送信してきた第１情報処理装置１０のうちの一つ（以下、ｓｌａｖｅ（ｉ）とも称する。）を選択する（Ｓ２２１１）。
【０１２８】
第２情報処理装置２０は、ｓｌａｖｅ（ｉ）に、全発電機現在出力合計値（Ｐｓｕｍ）（第１発電機現在出力の合計値）を送信する（Ｓ２２１２）。
【０１２９】
図２３は、第２情報処理装置２０が、第１情報処理装置１０から第１発電能力（Ｐｃ１）を受信する処理（以下、第１発電能力受信処理Ｓ２３００と称する。）を説明するフローチャートである。尚、この処理は随時行われる。
【０１３０】
同図に示すように、第２情報処理装置２０は、第１情報処理装置１０から送信されてくる第１発電能力（Ｐｃ１）を受信する（Ｓ２３１１）。
【０１３１】
第２情報処理装置２０は、受信した第１発電能力（Ｐｃ１）に基づき、第１発電能力合計値（Ｐｃ，ｓｕｍ１）を算出する（Ｓ２３１２）。具体的には、Ｓ２３１１で受信した第１発電能力（Ｐｃ１）の合計値に、自身が記憶している第２発電能力（Ｐｃ２）の値を加える。
【０１３２】
第２情報処理装置２０は、算出した第１発電能力合計値（Ｐｃ，ｓｕｍ１）を第３情報処理装置３０に送信する（Ｓ２３１３）。
【０１３３】
情報処理装置２０は、第１発電機現在出力合計値送信処理Ｓ２３００で選択した第１情報処理装置１０（ｓｌａｖｅ（ｉ））から送信されてくる第１発電能力（Ｐｃ１）を受信すると、随時、第１制御情報を算出し、算出した第１制御情報を第１情報処理装置１０に送信する処理（以下、第１制御情報生成送信処理Ｓ２４００と称する。）を行う。
【０１３４】
図２４は、第１制御情報生成送信処理Ｓ２４００を説明するフローチャートである。同図に示すように、第２情報処理装置２０は、第１発電能力受信処理Ｓ２３００で受信した第１発電能力（Ｐｃ１）に基づき、第１発電機現在出力合計値送信処理Ｓ２２００で選択した第１情報処理装置１０（ｓｌａｖｅ（ｉ））に出力制御を行わせるための第１制御情報を算出する（Ｓ２４１１）。
【０１３５】
具体的には、第１制御情報は次のように算出する。まず、第２情報処理装置２０は、第１発電能力受信処理Ｓ２４００において受信した第１発電能力（Ｐｃ１）のそれぞれを、昇順に「Ｐｃ＿ｓ（１），Ｐｃ＿ｓ（２），・・・，Ｐｃ＿ｓ（ｎ）」として記憶し、記憶したＰｃ＿ｓ（１），Ｐｃ＿ｓ（２），・・・，Ｐｃ＿ｓ（ｎ）のうちから、第１発電機現在出力合計値送信処理Ｓ２３００で選択した第１情報処理装置１０（ｓｌａｖｅ（ｉ））の第１発電能力（Ｐｃ＿ｓ（ｉ））と、ｓｌａｖｅ（ｉ）とは異なる他の第１情報処理装置１０の第１発電能力（Ｐｃ＿ｓ（ｉ−１））とを取得する。
【０１３６】
そして、第２情報処理装置２０は、第１制御情報（最小）（Ｐｍｉｎ１）を、「Ｐｃ，ｓｕｍ１＋Ｐｃ１＋Ｐｃ＿ｓ（１）＋Ｐｃ＿ｓ（２）＋・・・・＋Ｐｃ＿ｓ（ｉ−１）」として算出する。また、第２情報処理装置２０は、第１制御情報（最大）（Ｐｍａｘ１）を、「Ｐｍｉｎ１＋Ｐｃ＿ｓ（ｉ）」として算出する。
【０１３７】
第２情報処理装置２０は、以上のようにして生成した第１制御情報（第１制御情報（最小）（Ｐｍｉｎ１）、及び第１制御情報（最大）（Ｐｍａｘ１））をｓｌａｖｅ（ｉ）に送信する（Ｓ２４１２）。
【０１３８】
第２情報処理装置２０はまた、随時、第２制御情報を生成し、自身が付設されている第２発電機６の出力制御を行う。
【０１３９】
図２５は、このうち、第２制御情報を生成する処理（以下、第２制御情報生成処理Ｓ２６００と称する。）を説明するフローチャートである。同図に示すように、第２情報処理装置２０は、第３情報処理装置３０から送信されてくる送信側第２制御情報（送信側第２制御情報（最小）（Ｐｍｉｎ２ｒ）、及び送信側第２制御情報（最大）（Ｐｍａｘ２ｒ））を受信する（Ｓ２５１１）。
【０１４０】
第２情報処理装置２０は、Ｓ２５１１で受信した送信側第２制御情報と自身が記憶している第２発電能力（Ｐｃ２）に基づき、第２制御情報（第２制御情報（最小）（以下、「Ｐｍｉｎ２」とも称する。）、及び第２制御情報（最大）（以下、「Ｐｍａｘ２」とも称する。））を生成する（Ｓ２５１２）。
【０１４１】
具体的には、Ｓ２５１１で受信した送信側第２制御情報（最小）（Ｐｍｉｎ２ｒ）を第２制御情報（最小）（Ｐｍｉｎ２）として生成する。また、第２情報処理装置２０は、受信した送信側第２制御情報（最大）（Ｐｍａｘ２ｒ）に第２発電能力（Ｐｃ２）を加えた値を、第２制御情報（最大）（Ｐｍｉｎ２）として生成する。
【０１４２】
図２６は、第２情報処理装置２０が、自身が付設されている第２発電機６の出力を制御する処理（以下、第１出力制御処理Ｓ２６００と称する。）の概要を説明する図である。
【０１４３】
同図に示すように、第２情報処理装置２０は、第２発電機現在出力取得処理Ｓ２０００で取得した電力系統１の系統周波数（ｆ）と、電力系統１における基準周波数ｆ０（例えば、６０Ｈｚ又は５０Ｈｚ）とに基づき現在の周波数偏差を求め、求めた周波数偏差に系統周波数特性定数（Ｋ）を乗算した値と、全発電機現在出力合計値（Ｐｓｕｍ）とを乗算することにより地域要求量（ＡＲ）を算出する（Ｓ２６１１）。
【０１４４】
第２情報処理装置２０は、求めた地域要求量（ＡＲ）についてフィルタ処理、即ち、地域要求量（ＡＲ）に含まれる極短周期成分を除去する平滑化処理、及び微動成分を除去する不感帯処理を行う（Ｓ２６１２）。
【０１４５】
第２情報処理装置２０は、第２発電機現在出力取得処理Ｓ２０００で取得した第２発電機現在出力（Ｐ２）に基づき、第１指令値（以下、「Ｐｄ１」とも称する。）を生成する（Ｓ２６１３）。第２情報処理装置２０は、Ｓ２７１３で生成した指令値（Ｐｄ２）に基づき、自身が付設されている第２発電機６の出力を制御する（Ｓ２６１４）。
【０１４６】
図２７は、Ｓ２６１３の処理（以下、第２指令値生成処理Ｓ２７００と称する。）の詳細を説明するフローチャートである。また、図２８は、第２指令値生成処理Ｓ２７００が行われた場合における第２系統情報２７０を説明する図である。以下、図２７及び図２８を用いて第２指令値生成処理Ｓ２７００を説明する。
【０１４７】
図２７に示すように、第２情報処理装置２０は、第２発電機現在出力（Ｐ２）が０より大きいか否かを判断する（Ｓ２７１１）。第２発電機現在出力（Ｐ２）が０より大きい場合は（Ｓ２７１１：ＹＥＳ）Ｓ２７１２に進み、０より大きくない場合は（Ｓ２７１１：ＮＯ）Ｓ２７８１に進む。
【０１４８】
Ｓ２７１２では、第２情報処理装置２０は、全発電機現在出力合計値（Ｐｓｕｍ）が第２制御情報（最大）（Ｐｍａｘ２）よりも小さいか否かを判断する。小さい場合は（Ｓ２７１２：ＹＥＳ）Ｓ２７１３に進み、小さくない場合は（Ｓ２７１２：ＮＯ）Ｓ２７５１に進む。
【０１４９】
Ｓ２７１３では、第２情報処理装置２０は、地域要求量（ＡＲ）が０より大きいか否かを判断する。０より大きい場合は（Ｓ２７１３：ＹＥＳ）Ｓ２７１４に進み、０以下である場合は（Ｓ２７１３：ＮＯ）Ｓ２７３１に進む。
【０１５０】
Ｓ２７１４では、第２情報処理装置２０は、第２発電機現在出力（Ｐ２）に地域要求量（ＡＲ）を加えた値が第２発電能力（Ｐｃ２）より小さいか否かを判断する。第２発電機現在出力（Ｐ２）に地域要求量（ＡＲ）を加えた値が第２発電能力（Ｐｃ２）より小さい場合は（Ｓ２７１４：ＹＥＳ）Ｓ２７１５に進み、第２発電能力（Ｐｃ２）より小さくない場合は（Ｓ２７１４：ＮＯ）Ｓ２７２１に進む。
【０１５１】
Ｓ２７１５では、第２情報処理装置２０は、第２指令値（Ｐｄ２）を、第２発電機現在出力（Ｐ２）に地域要求量（ＡＲ）を加えた値（Ｐ２＋ＡＲ）に設定し、第２指令値生成処理Ｓ２７００は終了する。尚、図２８の「Ｃａｓｅ  Ｉ」は、Ｓ２７１５の処理が行われた場合における、第２系統情報２７０のレコードの一例を示している。同図に示すように、このレコードでは、Ｐ２が３００ｋＷに、ｆが５９．９Ｈｚに、Ｐｓｕｍが２８００ｋＷに、ＡＲが５０ｋＷに、Ｐｄ２が３５０ｋＷに、Ｐｍｉｎ２が２５００ｋＷに、Ｐｍａｘ２が３０００ｋＷに、Ｐｓｕｍ２が１３００ｋＷに、Ｐｃ，ｓｕｍ２が２０００ｋＷに、Ｐｍｉｎ２ｒが２０００ｋＷに、Ｐｍａｘ２ｒが３５００ｋＷに設定されている。
【０１５２】
図２７に戻り、Ｓ２７２１では、第２情報処理装置２０は、第２指令値（Ｐｄ２）を第２発電能力（Ｐｃ２）に設定し、第２指令値生成処理Ｓ２７００は終了する。尚、図２８の「Ｃａｓｅ  ＩＩ」は、Ｓ２７１５の処理が行われた場合における、第２系統情報２７０のレコードの一例を示している。同図に示すように、このレコードでは、Ｐ２が３００ｋＷ、ｆが５９．９Ｈｚ、Ｐｓｕｍが２８００ｋＷ、ＡＲが２５０ｋＷ、Ｐｄ２が５００ｋＷ、Ｐｍｉｎ２が２５００ｋＷ、Ｐｍａｘ２が３０００ｋＷ、Ｐｓｕｍ２が１３００ｋＷ、Ｐｃ，ｓｕｍ２が２０００ｋＷ、Ｐｍｉｎ２ｒが２０００ｋＷ、Ｐｍａｘ２ｒが３５００ｋＷである。
【０１５３】
Ｓ２７３１では、第２情報処理装置２０は、全発電機現在出力合計値（Ｐｓｕｍ）に地域要求量（ＡＲ）を加えた値が第２制御情報（最大）（Ｐｍａｘ２）より大きいか否かを判断する。全発電機現在出力合計値（Ｐｓｕｍ）に地域要求量（ＡＲ）を加えた値が第２制御情報（最大）（Ｐｍａｘ２）より大きい場合は（Ｓ２７３１：ＹＥＳ）Ｓ２７３２に進み、第２制御情報（最大）（Ｐｍａｘ２）より大きくない場合は（Ｓ２７３１：ＮＯ）Ｓ２７４１に進む。
【０１５４】
Ｓ２７３２では、第２情報処理装置２０は、第２指令値（Ｐｄ２）を、第２発電機現在出力（Ｐ２）に地域要求量（ＡＲ）を加えた値（Ｐ２＋ＡＲ）に設定し、第２指令値生成処理Ｓ２７００は終了する。尚、図２８の「Ｃａｓｅ  ＩＩＩ」は、Ｓ２７１５の処理が行われた場合における、第２系統情報２７０のレコードの一例を示している。同図に示すように、このレコードは、例えば、Ｐ２が３００ｋＷ、ｆが６０．１Ｈｚ、Ｐｓｕｍが２８００ｋＷ、ＡＲが−５０ｋＷ、Ｐｄ２が２５０ｋＷ、Ｐｍｉｎ２が２５００ｋＷ、Ｐｍａｘ２が３０００ｋＷ、Ｐｓｕｍが１３００ｋＷ、Ｐｃ，ｓｕｍ２が２０００ｋＷ、Ｐｍｉｎ２ｒが２０００ｋＷ、Ｐｍａｘ２ｒが３５００ｋＷである。
【０１５５】
図２７に戻り、Ｓ２７４１では、第２情報処理装置２０は、第２指令値（Ｐｄ２）を０に設定する。尚、図２７の「Ｃａｓｅ  ＩＶ」は、Ｓ２７１５の処理が行われた場合における、第２系統情報２７０のレコードの一例を示している。同図に示すように、このレコードでは、Ｐ２が３００ｋＷ、ｆが６０．１Ｈｚ、Ｐｓｕｍが２８００ｋＷ、ＡＲが−３５０ｋＷ、Ｐｄ２が０ｋＷ、Ｐｍｉｎ２が２５００ｋＷ、Ｐｍａｘ２が３０００ｋＷ、Ｐｓｕｍ２が１３００ｋＷ、Ｐｃ，ｓｕｍ２が２０００ｋＷ、Ｐｍｉｎ２ｒが２０００ｋＷ、Ｐｍａｘ２ｒが３５００ｋＷである。
【０１５６】
Ｓ２７５１では、第２情報処理装置２０は、全発電機現在出力合計値（Ｐｓｕｍ）に地域要求量（ＡＲ）を加えた値が第２制御情報（最大）（Ｐｍａｘ２）より大きいか否かを判断する。全発電機現在出力合計値（Ｐｓｕｍ）に地域要求量（ＡＲ）を加えた値が第２制御情報（最大）（Ｐｍａｘ２）より大きい場合は（Ｓ２７５１：ＹＥＳ）Ｓ２７５２に進み、第２制御情報（最大）（Ｐｍａｘ２）より大きくない場合は（Ｓ２７５１：ＮＯ）Ｓ２７６１に進む。
【０１５７】
Ｓ２７５２では、第２情報処理装置２０は、第２指令値（Ｐｄ２）を第２自発電能力（Ｐｃ２）に設定する。尚、図２８の「Ｃａｓｅ  Ｖ」は、Ｓ２７５２の処理が行われた場合における、第２系統情報２７０のレコードの一例を示している。同図に示すように、このレコードでは、Ｐ２が５００ｋＷ、ｆが６０．１Ｈｚ、Ｐｓｕｍが３２００ｋＷ、ＡＲが−３００ｋＷ、Ｐｄ２が４００ｋＷ、Ｐｍｉｎ２が２５００ｋＷ、Ｐｍａｘ２が３０００ｋＷ、Ｐｓｕｍ２が１５００ｋＷ、Ｐｃ，ｓｕｍ２が２０００ｋＷ、Ｐｍｉｎ２ｒが２０００ｋＷ、Ｐｍａｘ２ｒが３５００ｋＷである。
【０１５８】
図２７に戻り、Ｓ２７６１では、第２情報処理装置２０は、全発電機現在出力合計値（Ｐｓｕｍ）に地域要求量（ＡＲ）を加えた値が第２制御情報（最小）（Ｐｍｉｎ２）より大きいか否かを判断する。全発電機現在出力合計値（Ｐｓｕｍ）に地域要求量（ＡＲ）を加えた値が第２制御情報（最小）（Ｐｍｉｎ２）より大きい場合は（Ｓ２７６１：ＹＥＳ）Ｓ２７６２に進み、第２制御情報（最小）（Ｐｍｉｎ２）より大きくない場合は（Ｓ２７６１：ＮＯ）Ｓ２７７１に進む。
【０１５９】
Ｓ２７６２では、第２情報処理装置２０は、第２指令値（Ｐｄ２）を、全発電機現在出力合計値（Ｐｓｕｍ）から第２制御情報（最小）（Ｐｍｉｎ２）を減じた値（Ｐｓｕｍ−Ｐｍｉｎ２）に設定する。尚、図２８の「Ｃａｓｅ  ＶＩ」は、Ｓ２７６２の処理が行われた場合における、第１系統情報１７０のレコードの一例を示している。同図に示すように、このレコードでは、Ｐｄ２が５００ｋＷ、ｆが５９．９Ｈｚ、Ｐｓｕｍが３２００ｋＷ、ＡＲが−３００ｋＷ、Ｐｄ２が４００ｋＷ、Ｐｍｉｎ２が２５００ｋＷ、Ｐｍａｘ２が３０００ｋＷ、Ｐｓｕｍ２が１５００ｋＷ、Ｐｃ，ｓｕｍ２が２０００ｋＷ、Ｐｍｉｎ２ｒが２０００ｋＷ、Ｐｍａｘ２ｒが３５００ｋＷである。
【０１６０】
図２７に戻り、Ｓ２７７１では、第２情報処理装置２０は、第２指令値（Ｐｄ２）を０に設定する。尚、図２８の「Ｃａｓｅ  ＶＩＩ」は、Ｓ２７７１の処理が行われた場合における、第２系統情報２７０のレコードの一例を示している。同図に示すように、このレコードは、Ｐ２が５００ｋＷ、ｆが６０．１Ｈｚ、Ｐｓｕｍが３２００ｋＷ、ＡＲが−８００ｋＷ、Ｐｄ２が０ｋＷ、Ｐｍｉｎ２が２５００ｋＷ、Ｐｍａｘ２が３０００ｋＷ、Ｐｓｕｍ２が１５００ｋＷ、Ｐｃ，ｓｕｍ２が２０００ｋＷ、Ｐｍｉｎ２ｒが２０００ｋＷ、Ｐｍａｘ２ｒが３５００ｋＷである。
【０１６１】
図２７に戻り、Ｓ２７８１では、第２情報処理装置２０は、全発電機現在出力合計値（Ｐｓｕｍ）に地域要求量（ＡＲ）を加えた値が第２制御情報（最小）（Ｐｍｉｎ２）より大きいか否かを判断する。全発電機現在出力合計値（Ｐｓｕｍ）に地域要求量（ＡＲ）を加えた値が第２制御情報（最小）（Ｐｍｉｎ２）より大きい場合は（Ｓ２７８１：ＹＥＳ）Ｓ２７８２に進み、第２制御情報（最小）（Ｐｍｉｎ２）より大きくない場合は（Ｓ２７８１：ＮＯ）Ｓ２７９２に進む。
【０１６２】
Ｓ２７８２では、第２情報処理装置２０は、第２発電機現在出力（Ｐ２）に地域要求量（ＡＲ）を加えた値が第２発電能力（Ｐｃ２）より小さいか否かを判断する。第２発電機現在出力（Ｐ２）に地域要求量（ＡＲ）を加えた値が第２発電能力（Ｐｃ２）より小さい場合は（Ｓ２７８２：ＹＥＳ）Ｓ２７８３に進み、第２発電能力（Ｐｃ２）より大きくない場合は（Ｓ２７８２：ＮＯ）Ｓ２７９１に進む。
【０１６３】
Ｓ２７８３では、第２情報処理装置２０は、第２指令値（Ｐｄ２）を全発電機現在出力合計値（Ｐｓｕｍ）から第２制御情報（最小）（Ｐｍｉｎ２）を除した値に設定する。尚、図２８の「Ｃａｓｅ  ＶＩＩＩ」は、Ｓ２７８３の処理が行われた場合における、第２系統情報２７０のレコードの一例を示している。同図に示すように、このレコードでは、Ｐ２が０ｋＷ、ｆが５９．９Ｈｚ、Ｐｓｕｍが２３００ｋＷ、ＡＲが３００ｋＷ、Ｐｄ２が１００ｋＷ、Ｐｍｉｎ２が２５００ｋＷ、Ｐｍａｘ２が３０００ｋＷ、Ｐｓｕｍ２が１０００ｋＷ、Ｐｃ，ｓｕｍ２が２０００ｋＷ、Ｐｍｉｎ２ｒが２０００ｋＷ、Ｐｍａｘ２ｒが３５００ｋＷである。
【０１６４】
図２７に戻り、Ｓ２７９１では、第２情報処理装置２０は、第２指令値（Ｐｄ２）を第２発電能力（Ｐｃ２）に設定する。尚、図２８の「Ｃａｓｅ  ＩＸ」は、Ｓ２７９１の処理が行われた場合における、第２系統情報２７０のレコードの一例を示している。同図に示すように、このレコードでは、Ｐ２が０ｋＷ、ｆが５９．９Ｈｚ、Ｐｓｕｍが２３００ｋＷ、ＡＲが８００ｋＷ、Ｐｄ２が５００ｋＷ、Ｐｍｉｎ２が２５００ｋＷ、Ｐｍａｘ２が３０００ｋＷ、Ｐｓｕｍ２が１０００ｋＷ、Ｐｃ，ｓｕｍ２が２０００ｋＷ、Ｐｍｉｎ２ｒが２０００ｋＷ、Ｐｍａｘ２ｒが３５００ｋＷである。
【０１６５】
図２７に戻り、Ｓ２７９２では、第２情報処理装置２０は、第２指令値（Ｐｄ２）を０に設定する。尚、図２８の「Ｃａｓｅ  Ｘ」は、Ｓ２７９３の処理が行われた場合における、第２系統情報２７０のレコードの一例を示している。同図に示すように、このレコードでは、Ｐ２が０ｋＷ、ｆが５９．９Ｈｚ、Ｐｓｕｍが２３００ｋＷ、ＡＲが５０ｋＷ、Ｐｄ２が０ｋＷ、Ｐｍｉｎ２が２５００ｋＷ、Ｐｍａｘ２が３０００ｋＷ、Ｐｓｕｍ２が１０００ｋＷ、Ｐｃ，ｓｕｍ２が２０００ｋＷ、Ｐｍｉｎ２ｒが２０００ｋＷ、Ｐｍａｘ２ｒが３５００ｋＷである。
【０１６６】
＜第３情報処理装置３０の処理＞
図２９は、第３情報処理装置３０が行う処理のうち、自身が付設されている第３発電機７の第３発電機現在出力（Ｐ３）を取得する処理（以下、第３発電機現在出力取得処理Ｓ２９００と称する。）を説明するフローチャートである。同図に示すように、第３情報処理装置３０は、随時、自身が付設されている第３発電機７の第３発電機現在出力を取得し、第３系統情報３７０に格納する（Ｓ２９１１）。また、第３情報処理装置３０は、随時、電力系統１の系統周波数（ｆ）を取得し、取得した系統周波数（ｆ）を第３系統情報３７０に格納する（Ｓ２９１２）。
【０１６７】
図３０は、第２情報処理装置２０から送信されてくる第１発電機現在出力合計値（Ｐｓｕｍ１）を受信する処理（以下、第２発電機現在出力合計値受信処理Ｓ３０００と称する。）を説明するフローチャートである。同図に示すように、第３情報処理装置３０は、随時、第２情報処理装置２０から送信されてくる第１発電機現在出力合計値（Ｐｓｕｍ１）を受信する。
【０１６８】
また、第３情報処理装置３０は、第１発電機現在出力合計値（Ｐｓｕｍ１）を受信すると、随時、第２発電機現在出力の合計値を算出する処理（以下、第２発電機現在出力合計値算出処理Ｓ３１００と称する。）を行う。
【０１６９】
図３１は、第２発電機現在出力合計値算出処理Ｓ３１００を説明するフローチャートである。同図に示すように、第３情報処理装置３０は、第２発電機現在出力の合計値を算出する処理を行う（Ｓ３１１１）。
【０１７０】
具体的には、第３情報処理装置３０は、第２発電機現在出力合計値受信処理Ｓ３１００で受信した第１発電機現在出力合計値（Ｐｓｕｍ１）の、合計値を算出する。そして、第３情報処理装置３０は、算出した合計値に、第３発電機現在出力取得処理Ｓ３０００で取得した第３発電機能力（Ｐ３）を加えた値である第２発電機現在出力合計値（以下、「Ｐｓｕｍ２」とも称する。）を算出する。尚、求めた第２発電機現在出力合計値（Ｐｓｕｍ２）は第３系統情報３７０に格納される。
【０１７１】
第３情報処理装置３０は、第２発電機現在出力合計値（Ｐｓｕｍ２）を、他の第３情報処理装置３０に送信する（Ｓ３１１２）。また、第３情報処理装置３０は、他の第３情報処理装置３０から送信されてくる、第２発電機現在出力合計値（Ｐｓｕｍ２）を受信する（Ｓ３１１３）。
【０１７２】
第３情報処理装置３０は、Ｓ３１１１で算出した第２発電機現在出力合計値（Ｐｓｕｍ２）に、Ｓ３１１３で受信した第２発電機現在出力合計値（Ｐｓｕｍ２）を加えることにより、全発電機現在出力合計値（Ｐｓｕｍ）を算出する（Ｓ３１１４）。尚、算出した全発電機現在出力合計値（Ｐｓｕｍ）は第３系統情報２７０に格納される。
【０１７３】
図３２は、算出した全発電機現在出力合計値（Ｐｓｕｍ）を、第２情報処理装置２０に送信する処理（以下、第２発電機現在出力合計値送信処理Ｓ３２００と称する。）を説明するフローチャートである。
【０１７４】
同図に示すように、第３情報処理装置３０は、第２発電機現在出力合計値算出処理Ｓ３１００において、第１発電機現在出力合計値（Ｐｓｕｍ１）（第２発電機現在出力（Ｐ２））を送信してきた第２情報処理装置２０のうちの一つ（以下、ｓｕｂＭａｓｔｅｒ（ｉ）と称する。）を選択し（Ｓ３２１１）、選択した第２情報処理装置２０に、第２発電機現在出力合計値算出処理Ｓ３２００で算出した全発電機現在出力合計値（Ｐｓｕｍ）（第２発電機現在出力（Ｐ２）の合計値）を送信する（Ｓ３２１２）。
【０１７５】
図３３は、第３情報処理装置３０が、随時、送信側第２制御情報を生成して第２情報処理装置２０に送信する処理（以下、送信側第２制御情報生成送信処理Ｓ３４００と称する。）を説明するフローチャートである。
【０１７６】
同図に示すように、第３情報処理装置３０は、第２情報処理装置２０から送信されてくる第２発電能力（Ｐｃ２）（第１発電能力合計値（Ｐｃ，ｓｕｍ１））を受信する（Ｓ３３１１）。
【０１７７】
第３情報処理装置３０は、受信した第２発電能力合計値（Ｐｃ，ｓｕｍ１）に基づき、送信側第２制御情報を生成する（Ｓ３３１２）。
【０１７８】
具体的には、受信した第２発電能力合計値（Ｐｃ，ｓｕｍ１）の夫々を、昇順に「Ｐｃ＿ｓｕｂ（１），Ｐｃ＿ｓｕｂ（２），・・・，Ｐｃ＿ｓｕｂ（ｎ）」として記憶し、記憶した第２発電能力合計値のうちから、第２発電機現在出力合計値送信処理Ｓ３３００で選択した第２情報処理装置２０（ｓｕｂＭａｓｔｅｒ（ｉ））の第２発電能力合計値（以下、「Ｐｃ＿ｓｕｂ（ｉ）」と称する。）と、選択した第２情報処理装置２０（ｓｕｂＭａｓｔｅｒ（ｉ））とは異なる他の第２情報処理装置２０の第２発電能力合計値（以下、Ｐｃ＿ｓｕｂ（ｉ−１）と称する。）とを取得する。また、第３情報処理装置３０は、自身が記憶している第３発電能力（以下、「Ｐｃ３」とも称する。）を取得する。
【０１７９】
第３情報処理装置３０は、取得したＰｃ＿ｓｕｂ（ｉ−１）、及び後述する自グループ容量パラメータ（最小）（Ｐｍｉｎ＿Ｍ（ｘ））に基づき、送信側第２制御情報（最小）（以下、「Ｐｍｉｎ＿ｓｕｂ（ｉ）」と称する。）を、「Ｐｍｉｎ＿Ｍ（ｘ）＋Ｐｃ３＋Ｐｃ＿ｓｕｂ（１）＋・・・＋Ｐｃ＿ｓｕｂ（ｉ−１）」として算出する。また、第３情報処理装置３０は、取得したＰｃ＿ｓｕｂ（ｉ）に基づき、送信側第２制御情報（最大）（以下、「Ｐｍａｘ＿ｓｕｂ（ｉ）」と称する。）を、「Ｐｍｉｎ２＋Ｐｃ＿ｓｕｂ（ｉ）」として算出する。尚、算出した送信側第２制御情報（最小）及び送信側第２制御情報（最大）は、第３系統情報３７０に格納される。
【０１８０】
第３情報処理装置３０は、第２発電機現在出力合計値送信処理Ｓ３２００で選択した第２情報処理装置２０（ｓｕｂＭａｓｔｅｒ（ｉ））に、生成した送信側第２制御情報を送信する（Ｓ３３１３）。
【０１８１】
図３４は、第３情報処理装置３０が随時、第３制御情報を生成する処理（以下、第３制御情報生成処理Ｓ３４００と称する、）を説明するフローチャートである。同図に示すように、第３情報処理装置３０は、まず、第２発電能力（Ｐｃ２）の合計値である第２発電能力合計値（以下、「Ｐｃ，ｓｕｍ２」と称する。）を算出する（Ｓ３４１１）。
【０１８２】
具体的には、第３情報処理装置３０は、第２制御情報生成送信処理Ｓ３４００で受信した、第２発電能力（Ｐｃ２）の合計値である第１発電能力合計値（Ｐｃ，ｓｕｍ１）の夫々を合計した合計値を算出し、算出した合計値に、自身が記憶している第３発電能力（Ｐｃ３）を加えて算出する。
【０１８３】
第３情報処理装置３０は、Ｓ３４１１で算出した第２発電能力合計値（Ｐｃ，ｓｕｍ２）を、他の第３情報処理装置３０に送信する（Ｓ３４１２）。また、第３情報処理装置３０は、情報処理装置２０から送信されてくる第２発電能力合計値（Ｐｃ，ｓｕｍ２）を受信する（Ｓ３４１３）。
【０１８４】
そして、第３情報処理装置３０は、自身が記憶している第３発電能力（Ｐｃ３）に基づき、第３制御情報を生成する（Ｓ３４１４）。
【０１８５】
具体的には、Ｓ３４１１で算出した第２発電能力合計値（Ｐｃ，ｓｕｍ２）、及びＳ３４１３で受信した第２発電能力合計値（Ｐｃ，ｓｕｍ２）の夫々を、昇順に「Ｐｃ＿Ｍ（１），Ｐｃ＿Ｍ（２），・・・，Ｐｃ＿Ｍ（ｎ）」として順次記憶し、記憶したＰｃ＿Ｍ（１），Ｐｃ＿Ｍ（２），・・・，Ｐｃ＿Ｍ（ｎ）のうち、自身の第２発電能力合計値（Ｐｃ，ｓｕｍ２）（以下、Ｐｃ＿Ｍ（ｘ）と称する。）と、Ｐｃ＿Ｍ（ｘ）とは異なる第２発電能力合計値（Ｐｃ，ｓｕｍ２）（以下、Ｐｃ＿Ｍ（ｘ−１）と称する。）とを取得する。
【０１８６】
次に、第３情報処理装置３０は、自グループ容量パラメータ（最小）（以下、Ｐｍｉｎ＿Ｍ（ｘ）と称する。）として、「Ｐｃ＿Ｍ（１）＋Ｐｃ＿Ｍ（２）＋・・・＋Ｐｃ＿Ｍ（ｘ−１）を算出する。また、第３情報処理装置３０は、自グループ容量パラメータ（最大）（以下、Ｐｍａｘ＿Ｍ（ｘ）と称する。）として、「Ｐｍｉｎ＿Ｍ（ｘ）＋Ｐｃ＿Ｍ（ｘ）を算出する。
【０１８７】
そして、第３情報処理装置３０は、第３制御情報（最小）（以下、「Ｐｍｉｎ３」と称する。）を、「Ｐｍｉｎ＿Ｍ（ｘ）」とする。また、第３情報処理装置３０は、第３制御情報（最大）（以下、「Ｐｍａｘ３」と称する。）を、「Ｐｍｉｎ３＋Ｐｃ３」として算出する。
【０１８８】
第３情報処理装置３０は、上記のように第３制御情報を生成すると、生成した第３制御情報に基づき、自身が付設されている第３発電機７の出力を制御する処理（以下、第３出力制御処理と称する。）を行う。
【０１８９】
図３５は、第３出力制御処理Ｓ３５００を説明する図である。同図に示すように、第３情報処理装置３０は、電力系統１の系統周波数（ｆ）と、電力系統１における基準周波数ｆ０（例えば、６０Ｈｚ又は５０Ｈｚ）とに基づき現在の周波数偏差を求め、求めた周波数偏差に系統周波数特性定数（Ｋ）を乗算した値と、全発電機現在出力合計値（Ｐｓｕｍ）とを乗算することにより地域要求量（ＡＲ）を算出する（Ｓ３５１１）。
【０１９０】
第３情報処理装置３０は、求めた地域要求量（ＡＲ）についてフィルタ処理、即ち、地域要求量（ＡＲ）に含まれる極短周期成分を除去する平滑化処理、及び微動成分を除去する不感帯処理を行う（Ｓ３５１２）。
【０１９１】
第３情報処理装置３０は、第３発電機現在出力取得処理Ｓ３０００で取得した第３発電機現在出力（Ｐ３）に基づき、第３指令値（以下、「Ｐｄ３」とも称する。）を生成する（Ｓ３５１３）。第３情報処理装置３０は、Ｓ３５１３で生成した第３指令値（Ｐｄ３）に基づき、自身が付設されている第３発電機７の出力を制御する（Ｓ３５１４）。
【０１９２】
図３６は、Ｓ３５１３の処理（以下、第３指令値生成処理Ｓ３６００と称する。）の詳細を説明するフローチャートである。また、図３７は、第３指令値生成処理Ｓ３６００が行われた場合における第３系統情報３７０を説明する図である。以下、図３６及び図３７を用いて第３指令値生成処理Ｓ３６００を説明する。
【０１９３】
同図に示すように、第３情報処理装置３０は、第３発電機現在出力（Ｐ３）が０より大きいか否かを判断する（Ｓ３６１１）。第３発電機現在出力（Ｐ３）が０より大きい場合は（Ｓ３６１１：ＹＥＳ）Ｓ３６１２に進み、０より大きくない場合は（Ｓ３６１１：ＮＯ）Ｓ３６８１に進む。
【０１９４】
Ｓ３６１２では、第３情報処理装置３０は、全発電機現在出力合計値（Ｐｓｕｍ）が第３制御情報（最大）（Ｐｍａｘ３）よりも小さいか否かを判断する。小さい場合は（Ｓ３６１２：ＹＥＳ）Ｓ３６１３に進み、小さくない場合は（Ｓ３６１２：ＮＯ）Ｓ３６５１に進む。
【０１９５】
Ｓ３６１３では、第３情報処理装置３０は、地域要求量（ＡＲ）が０より大きいか否かを判断する。０より大きい場合は（Ｓ３６１３：ＹＥＳ）Ｓ３６１４に進み、０以下である場合は（Ｓ３６１３：ＮＯ）Ｓ３６３１に進む。
【０１９６】
Ｓ３６１４では、第３情報処理装置３０は、第３発電機現在出力（Ｐ３）に地域要求量（ＡＲ）を加えた値が第３発電能力（Ｐｃ３）より小さいか否かを判断する。第３発電機現在出力（Ｐ３）に地域要求量（ＡＲ）を加えた値が第３発電能力（Ｐｃ３）より小さい場合は（Ｓ３６１４：ＹＥＳ）Ｓ３６１５に進み、第３発電能力（Ｐｃ３）より小さくない場合は（Ｓ３６１４：ＮＯ）Ｓ３６２１に進む。
【０１９７】
Ｓ３６１５では、第３情報処理装置３０は、第３指令値（Ｐｄ３）を、発電機現在出力（Ｐ３）に地域要求量（ＡＲ）を加えた値（Ｐ３＋ＡＲ）に設定する。尚、図３７の「Ｃａｓｅ  Ｉ」は、Ｓ３６１５の処理が行われた場合における、第３系統情報３７０のレコードの一例を示している。同図に示すように、このレコードは、Ｐ３が３００ｋＷ、ｆが５９．９Ｈｚ、Ｐｓｕｍが２８００ｋＷ、ＡＲが５０ｋＷ、Ｐｄ３が３５０ｋＷ、Ｐｍｉｎ３が２５００ｋＷ、Ｐｍａｘ３が３０００ｋＷ、Ｐｓｕｍ２が１８００ｋＷ、Ｐｃ，ｓｕｍ２が５０００ｋＷである。
【０１９８】
図３６に戻り、Ｓ３６２１では、第３情報処理装置３０は、第３指令値（Ｐｄ３）を第３発電能力（Ｐｃ３）に設定する。尚、図３７の「Ｃａｓｅ  ＩＩ」は、Ｓ３６２１の処理が行われた場合における、第３系統情報３７０のレコードの一例を示している。同図に示すように、このレコードは、Ｐ３が３００ｋＷ、ｆが５９．９Ｈｚ、Ｐｓｕｍが２８００ｋＷ、ＡＲが２５０ｋＷ、Ｐｄ３が５００ｋＷ、Ｐｍｉｎ３が２５００ｋＷ、Ｐｍａｘ３が３０００ｋＷ、Ｐｓｕｍ３が１８００ｋＷ、Ｐｃ，ｓｕｍ３が５０００ｋＷである。
【０１９９】
Ｓ３６３１では、第３情報処理装置３０は、全発電機現在出力合計値（Ｐｓｕｍ）に地域要求量（ＡＲ）を加えた値が第３制御情報（最大）（Ｐｍａｘ３）より大きいか否かを判断する。全発電機現在出力合計値（Ｐｓｕｍ）に地域要求量（ＡＲ）を加えた値が第３制御情報（最大）（Ｐｍａｘ３）より大きい場合は（Ｓ３６３１：ＹＥＳ）Ｓ３６３２に進み、第３制御情報（最大）（Ｐｍａｘ３）より大きくない場合は（Ｓ３６３１：ＮＯ）Ｓ３６４１に進む。
【０２００】
Ｓ３６３２では、第３情報処理装置３０は、第３指令値（Ｐｄ３）を、発電機現在出力（Ｐ３）に地域要求量（ＡＲ）を加えた値（Ｐ３＋ＡＲ）に設定する。尚、図３７の「Ｃａｓｅ  ＩＩＩ」は、Ｓ３６３２の処理が行われた場合における、第３系統情報３７０のレコードの一例を示している。同図に示すように、このレコードは、Ｐ３が３００ｋＷ、ｆが６０．１Ｈｚ、Ｐｓｕｍが２８００ｋＷ、ＡＲが−５０ｋＷ、Ｐｄ３が５００ｋＷ、Ｐｍｉｎ３が２５００ｋＷ、Ｐｍａｘ３が３０００ｋＷ、Ｐｓｕｍ２が１８００ｋＷ、Ｐｃ，ｓｕｍ２が５０００ｋＷである。
【０２０１】
図３６に戻り、Ｓ３６４１では、第３情報処理装置３０は、第３指令値（Ｐｄ３）を０に設定する。尚、図３７の「Ｃａｓｅ  ＩＶ」は、Ｓ３６４１の処理が行われた場合における、第３系統情報３７０のレコードの一例を示している。同図に示すように、このレコードは、例えば、Ｐｄ３が３００ｋＷ、ｆが６０．１Ｈｚ、Ｐｓｕｍが２８００ｋＷ、ＡＲが−３５０ｋＷ、Ｐｄ３が０ｋＷ、Ｐｍｉｎ３が２５００ｋＷ、Ｐｍａｘ３が３０００ｋＷ、Ｐｓｕｍ２が１８００ｋＷ、Ｐｃ，ｓｕｍ２が５０００ｋＷである。
【０２０２】
Ｓ３６５１では、第３情報処理装置３０は、全発電機現在出力合計値（Ｐｓｕｍ）に地域要求量（ＡＲ）を加えた値が第３制御情報（最大）（Ｐｍａｘ３）より大きいか否かを判断する。全発電機現在出力合計値（Ｐｓｕｍ）に地域要求量（ＡＲ）を加えた値が第３制御情報（最大）（Ｐｍａｘ３）より大きい場合は（Ｓ３６５１：ＹＥＳ）Ｓ３６５２に進み、第３制御情報（最大）（Ｐｍａｘ３）より大きくない場合は（Ｓ３６５１：ＮＯ）Ｓ３６６１に進む。
【０２０３】
Ｓ３６５２では、第３情報処理装置３０は、第３指令値（Ｐｄ３）を第３発電能力（Ｐｃ３）に設定する。尚、図３７の「Ｃａｓｅ  Ｖ」は、Ｓ３６５２の処理が行われた場合における、第３系統情報３７０のレコードの一例を示している。同図に示すように、このレコードは、Ｐ３が５００ｋＷ、ｆが５９．９Ｈｚ、Ｐｓｕｍが３２００ｋＷ、ＡＲが５０ｋＷ、Ｐｄ３が５００ｋＷ、Ｐｍｉｎ３が２５００ｋＷ、Ｐｍａｘ３が３０００ｋＷ、Ｐｓｕｍ２が２０００ｋＷ、Ｐｃ，ｓｕｍ２が５０００ｋＷである。
【０２０４】
図３６に戻り、Ｓ３６６１では、第３情報処理装置３０は、全発電機現在出力合計値（Ｐｓｕｍ）に地域要求量（ＡＲ）を加えた値が第３制御情報（最小）（Ｐｍｉｎ３）より大きいか否かを判断する。全発電機現在出力合計値（Ｐｓｕｍ）に地域要求量（ＡＲ）を加えた値が第３制御情報（最小）（Ｐｍｉｎ３）より大きい場合は（Ｓ３６６１：ＹＥＳ）Ｓ３６６２に進み、第３制御情報（最小）（Ｐｍｉｎ３）より大きくない場合は（Ｓ３６６１：ＮＯ）Ｓ３６７１に進む。
【０２０５】
Ｓ３６６２では、第３情報処理装置３０は、第３指令値（Ｐｄ３）を、全発電機現在出力合計値（Ｐｓｕｍ）から第３制御情報（最小）（Ｐｍｉｎ３）を減じた値（Ｐｓｕｍ−Ｐｍｉｎ３）に設定する。尚、図３９の「Ｃａｓｅ  ＶＩ」は、Ｓ３６６２の処理が行われた場合における、第３系統情報３７０のレコードの一例を示している。同図に示すように、このレコードは、Ｐｄ３が５００ｋＷ、ｆが６０．１Ｈｚ、Ｐｓｕｍが３２００ｋＷ、ＡＲが−３００ｋＷ、Ｐｄ３が４００ｋＷ、Ｐｍｉｎ３が２５００ｋＷ、Ｐｍａｘ３が３０００ｋＷ、Ｐｓｕｍ２が２０００ｋＷ、Ｐｃ，ｓｕｍ２が５０００ｋＷである。
【０２０６】
図３６に戻り、Ｓ３６７１では、第３情報処理装置３０は、第３指令値（Ｐｄ３）を０に設定する。尚、図３７の「Ｃａｓｅ  ＶＩＩ」は、Ｓ３６７１の処理が行われた場合における、第３系統情報３７０のレコードの一例を示している。同図に示すように、このレコードは、例えば、Ｐ３が５００ｋＷ、ｆが６０．１Ｈｚ、Ｐｓｕｍが３２００ｋＷ、ＡＲが−８００ｋＷ、Ｐｄ３が０ｋＷ、Ｐｍｉｎ３が２５００ｋＷ、Ｐｍａｘ３が３０００ｋＷ、Ｐｓｕｍ２が２０００ｋＷ、Ｐｃ，ｓｕｍ２が５０００ｋＷである。
【０２０７】
図３６に戻り、Ｓ３６８１では、第３情報処理装置３０は、全発電機現在出力合計値（Ｐｓｕｍ）に地域要求量（ＡＲ）を加えた値が第１制御情報（最小）（Ｐｍｉｎ３）より大きいか否かを判断する。全発電機現在出力合計値（Ｐｓｕｍ）に地域要求量（ＡＲ）を加えた値が第３制御情報（最小）（Ｐｍｉｎ３）より大きい場合は（Ｓ３６８１：ＹＥＳ）Ｓ３６８２に進み、第３制御情報（最小）（Ｐｍｉｎ３）より大きくない場合は（Ｓ３６８１：ＮＯ）Ｓ３６９２に進む。
【０２０８】
Ｓ３６８２では、第３情報処理装置３０は第３発電機現在出力（Ｐ３）に地域要求量（ＡＲ）を加えた値が第３発電能力（Ｐｃ３）より小さいか否かを判断する。第３発電機現在出力（Ｐ３）に地域要求量（ＡＲ）を加えた値が第３発電能力（Ｐｃ３）より小さい場合は（Ｓ３６８２：ＹＥＳ）Ｓ３６８３に進み、第３発電能力（Ｐｃ３）より大きくない場合は（Ｓ３６８２：ＮＯ）Ｓ３６９１に進む。
【０２０９】
Ｓ３６８３では、第３情報処理装置３０は、第３指令値（Ｐｄ３）を、全発電機現在出力合計値（Ｐｓｕｍ）から第３制御情報（最小）（Ｐｍｉｎ３）を除した値に設定する。尚、図３７の「Ｃａｓｅ  ＶＩＩＩ」は、Ｓ３６８３の処理が行われた場合における、第３系統情報３７０のレコードの一例を示している。同図に示すように、このレコードは、Ｐ３が０ｋＷ、ｆが５９．９Ｈｚ、Ｐｓｕｍが２３００ｋＷ、ＡＲが３００ｋＷ、Ｐｄ３が１００ｋＷ、Ｐｍｉｎ３が２５００ｋＷ、Ｐｍａｘ３が３０００ｋＷ、Ｐｓｕｍ２が１５００ｋＷ、Ｐｃ，ｓｕｍ２が５０００ｋＷである。
【０２１０】
図３６に戻り、Ｓ３６９１では、第３情報処理装置３０は、第１指令値（Ｐｄ３）を第３発電能力（Ｐｃ３）に設定する。尚、図３７の「Ｃａｓｅ  ＩＸ」は、Ｓ３６９１の処理が行われた場合における、第３系統情報３７０のレコードの一例を示している。同図に示すように、このレコードは、Ｐ３が０ｋＷ、ｆが５９．９Ｈｚ、Ｐｓｕｍが２３００ｋＷ、ＡＲが８００ｋＷ、Ｐｄ３が５００ｋＷ、Ｐｍｉｎ３が２５００ｋＷ、Ｐｍａｘ３が３０００ｋＷ、Ｐｓｕｍ２が１５００ｋＷ、Ｐｃ，ｓｕｍ２が５０００ｋＷである。
【０２１１】
図３６に戻り、Ｓ３６９３では、第３情報処理装置３０は、第３指令値（Ｐｄ３）を０に設定する。尚、図３７の「Ｃａｓｅ  Ｘ」は、Ｓ３６９２の処理が行われた場合における、第３系統情報３７０のレコードの一例を示している。同図に示すように、このレコードは、例えば、Ｐ３が０ｋＷ、ｆが５９．９Ｈｚ、Ｐｓｕｍが２３００ｋＷ、ＡＲが５０ｋＷ、Ｐｄ３が０ｋＷ、Ｐｍｉｎ３が２５００ｋＷ、Ｐｍａｘ３が３０００ｋＷ、Ｐｓｕｍ２が１５００ｋＷ、Ｐｃ，ｓｕｍ２が５０００ｋＷである。
【０２１２】
以上のように、本実施形態の電力系統１によれば、第１情報処理装置１０、第２情報処理装置２０、及び第３情報処理装置３０の夫々は、地域要求量と、自身が付設されている発電機の発電能力とに基づき需給制御を行うので、個々の第１発電機５の発電能力を考慮して適切に電力系統１の需給制御を行うことができる。例えば、第１発電機５の最大出力を超えない範囲で第１発電機５の能力を有効に利用して適切に電力系統１の需給制御を行うことができる。
【０２１３】
また、第２情報処理装置２０は、第２発電能力に基づき、第２発電機６に出力制御を行わせるための情報である第２制御情報を生成し、第１発電機現在出力の合計値と第２発電機現在出力とに基づき地域要求量を算出し、算出した地域要求量と、第２制御情報とに基づき、第２発電機６に対する出力制御を行うので、第２情報処理装置２０は、自身が付設されている発電機による出力制御を、その発電機の発電能力に基づき行うことができる。これにより、第２情報処理装置２０に付設された第２発電機６の発電能力を最大限に活用し、より適切な、電力系統１の需給制御を行うことができる。    
【０２１４】
また、第３情報処理装置３０は、第３発電能力に基づき、第３発電機７に出力制御を行わせるための情報である第３制御情報を生成し、第２発電機現在出力の合計値と第３発電機現在出力とに基づき地域要求量を算出し、算出した地域要求量と、第３制御情報とに基づき、第３発電機７に対する出力制御を行うので、第３情報処理装置３０は、自身が付設されている発電機による出力制御を、その発電機の発電能力に基づき行うことができる。これにより、第３情報処理装置３０に付設された第３発電機７の発電能力を最大限に活用し、より適切な、電力系統１の需給制御を行うことができる。
【０２１５】
また、第２情報処理装置２０は、第１発電機現在出力を送信してきた第１情報処理装置１０のうち、当初に選択した第１情報処理装置１０とは異なる他の第１情報処理装置１０を選択し、その選択した第１情報処理装置１０から送信されてくる第１発電能力を受信し、受信した第１発電能力に基づき、第１制御情報を生成するので、当初に選択した第１情報処理装置１０とは異なる他の第１情報処理装置１０の第１発電能力に基づき、当初に選択した第１情報処理装置１０に対する出力制御を行うことができる。このように、本実施形態の電力系統１によれば、第２情報処理装置２０は、出力制御を行わせる第２情報処理装置２０以外の第２情報処理装置２０の発電能力に基づき、第２制御情報を生成するので、出力制御を行わせない第２情報処理装置２０の第２発電機６の発電能力を考慮した、より適切な電力系統１の需給制御を行うことができる。
【０２１６】
以上に説明した実施の形態は、本発明の理解を容易にするためのものであり、本発明を限定するものではない。本発明は、その趣旨を逸脱することなく、変更、改良され得ると共に、本発明にはその等価物が含まれることは勿論である。
【０２１７】
例えば、以上の実施形態では、ｓｌａｖｅ、ｓｕｂＭａｓｔｅｒ、及びＭａｓｔｅｒの３階層の情報処理装置が存在する場合について説明したが、同様の方法により本発明はｎ階層（ｎ＝４，５，・・・）の情報処理装置が存在する場合に拡張することができる。  
【符号の説明】
【０２１８】
１  電力系統
５  第１発電機
６  第２発電機
７  第３発電機
１０  第１情報処理装置
２０  第２情報処理装置
３０  第３情報処理装置
Ｓ１５００  第１制御情報受信処理
Ｓ１６００  第１出力制御処理
Ｓ２４００  第１制御情報生成送信処理
Ｓ２５００  第２制御情報生成処理
Ｓ２６００  第２出力制御処理
Ｓ３３００  第２制御情報生成送信処理
Ｓ３４００  第３制御情報生成処理
Ｓ３５００  第３出力制御処理
【図１】
2013090418.tif 000003
【図２】
2013090418.tif 000004
【図３】
2013090418.tif 000005
【図４】
2013090418.tif 000006
【図５】
2013090418.tif 000007
【図６】
2013090418.tif 000008
【図７】
2013090418.tif 000009
【図８】
2013090418.tif 000010
【図９】
2013090418.tif 000011
【図１０】
2013090418.tif 000012
【図１１】
2013090418.tif 000013
【図１２】
2013090418.tif 000014
【図１３】
2013090418.tif 000015
【図１４】
2013090418.tif 000016
【図１５】
2013090418.tif 000017
【図１６】
2013090418.tif 000018
【図１７】
2013090418.tif 000019
【図１８】
2013090418.tif 000020
【図１９】
2013090418.tif 000021
【図２０】
2013090418.tif 000022
【図２１】
2013090418.tif 000023
【図２２】
2013090418.tif 000024
【図２３】
2013090418.tif 000025
【図２４】
2013090418.tif 000026
【図２５】
2013090418.tif 000027
【図２６】
2013090418.tif 000028
【図２７】
2013090418.tif 000029
【図２８】
2013090418.tif 000030
【図２９】
2013090418.tif 000031
【図３０】
2013090418.tif 000032
【図３１】
2013090418.tif 000033
【図３２】
2013090418.tif 000034
【図３３】
2013090418.tif 000035
【図３４】
2013090418.tif 000036
【図３５】
2013090418.tif 000037
【図３６】
2013090418.tif 000038
【図３７】
2013090418.tif 000039